(57)【要約】  複数の周期的通信の制御を行うことができる。  基地局（２）の通信部（２ａ）は、無線端末（１）と複数の周期的通信を行う。通信制御部（２ｂ）は、無線端末（１）が複数の周期的通信のそれぞれの活性化および解放の少なくともいずれかを制御できるように、通信部（２ａ）の複数の周期的通信を識別するための識別情報を制御チャネルに含める。無線端末（１）の通信部（１ａ）は、基地局（２）と複数の周期的通信を行う。通信制御部（１ｂ）は、基地局（２）から送信される制御チャネルに含まれる識別情報によって、通信部（１ａ）の複数の周期的通信のそれぞれの活性化および解放の少なくともいずれかを制御する。
2013038525.tif 000002
【特許請求の範囲】
【請求項１】
基地局と無線通信を行う無線端末において、
前記基地局と複数の周期的通信を行う通信部と、
前記基地局から送信される制御チャネルに前記複数の周期的通信を識別するための識別情報が含まれ、前記識別情報によって前記複数の周期的通信のそれぞれの活性化および解放の少なくともいずれかを制御する通信制御部と、
を有することを特徴とする無線端末。
【請求項２】
前記通信制御部は、前記識別情報、前記制御チャネルのフォーマット、および前記制御チャネルのフィールドの値によって、前記複数の周期的通信のそれぞれの活性化および解放を制御することを特徴とする請求の範囲第１項記載の無線端末。
【請求項３】
前記複数の周期的通信の複数の周期を設定する周期制御部をさらに有することを特徴とする請求の範囲第１項または第２項に記載の無線端末。
【請求項４】
前記複数の周期的通信の複数の周期は、ＲＲＣコネクションの際、前記基地局から通知されることを特徴とする請求の範囲第３項記載の無線端末。
【請求項５】
前記複数の周期的通信のそれぞれは、セミパーシステントスケジューリングであることを特徴とする請求の範囲第１項乃至第４項のいずれかに記載の無線端末。
【請求項６】
前記複数の周期的通信は、ビットマップによって識別され、
前記通信制御部は、前記ビットマップのビットに基づいて、前記複数の周期的通信のそれぞれの活性化および解放の少なくともいずれかを制御することを特徴とする請求の範囲第１項乃至第５項のいずれかに記載の無線端末。
【請求項７】
前記複数の周期的通信は、ビット値によって識別され、
前記通信制御部は、前記ビット値に基づいて、前記複数の周期的通信のそれぞれの活性化および解放の少なくともいずれかを制御することを特徴とする請求の範囲第１項乃至第５項のいずれかに記載の無線端末。
【請求項８】
基地局と無線通信を行う無線端末において、
前記基地局と複数の周期的通信を行う通信部と、
制御チャネルの誤り検出のための符号領域をマスクする、前記複数の周期的通信に対応した識別子を前記基地局から受信する受信部と、
前記基地局から受信した前記識別子と前記制御チャネルとに基づいて前記複数の周期的通信のそれぞれの活性化および解放の少なくともいずれかを制御する通信制御部と、
を有することを特徴とする無線端末。
【請求項９】
無線端末と無線通信を行う基地局において、
前記無線端末と複数の周期的通信を行う通信部と、
前記無線端末が前記複数の周期的通信のそれぞれの活性化および解放の少なくともいずれかを制御できるように、前記複数の周期的通信を識別するための識別情報を制御チャネルに含める通信制御部と、
を有することを特徴とする基地局。
【請求項１０】
無線端末と無線通信を行う基地局において、
前記無線端末と複数の周期的通信を行う通信部と、
前記無線端末が前記複数の周期的通信のそれぞれの活性化および解放の少なくともいずれかを制御できるように、制御チャネルの誤り検出のための符号領域をマスクする、前記複数の周期的通信に対応した識別子を生成する生成部と、
前記識別子を前記無線端末に送信する送信部と、
を有することを特徴とする基地局。
【発明の詳細な説明】
【技術分野】
【０００１】
本件は、無線通信を行う無線端末および基地局に関する。
【背景技術】
【０００２】
セルラ型の移動通信は、ＵＭＴＳ（Universal Mobile Telecommunication System）からＬＴＥ（Long Term Evolution）に進化した。ＬＴＥでは、無線アクセス技術としてＯＦＤＭ（Orthogonal Frequency Division Multiplexing）をベースとした方式が規定され、下りのピーク伝送レートは１００Ｍｂ／ｓ以上、上りのピーク伝送レートは５０Ｍｂ／ｓ以上の高速無線パケット通信が可能となる。【０００３】
国際標準化団体である３ＧＰＰ（3rd Generation Partnership Project）では、さらなる高速通信の実現に向けて、ＬＴＥをベースとしたＬＴＥ−Ａ（LTE-Advanced）の検討が始まっている。ＬＴＥ−Ａでは、下りのピーク伝送レートは１Ｇｂ／ｓ、上りのピーク伝送レートは５００Ｍｂ／ｓを目指しており、無線アクセス方式やネットワークアーキテクチャなど、様々な新技術の検討が行われている。【０００４】
ＬＴＥ−Ａでは、２種類のスケジューリング方法が規定されており、Dynamic SchedulingとSemi-Persistent Scheduling（ＳＰＳ）とがある。Dynamic Schedulingでは、ＵＬ（UpLink）およびＤＬ（DownLink）ともに、利用する無線リソースをＰＤＣＣＨ（Physical Downlink Control Channel）で指定する。ＳＰＳでは、Ｌ３（Layer 3）のＲＲＣ（Radio Resource Control）コネクションにおいて、予め基地局から無線端末に通信周期を通知する。そして、ＳＰＳでは、実際にＳＰＳの通信を実行するときに、基地局がＰＤＣＣＨによるアクティベーションコマンドを無線端末に送信する。ＳＰＳでは、どの無線リソースを継続使用するのかの情報は、アクティベーションコマンドに含まれる（例えば、非特許文献１，２参照）。【０００５】
ＳＰＳは、例えば、ＶｏＩＰ（Voice over IP）などに代表されるリアルタイム型の通信で用いられる。例えば、ＶｏＩＰ通信において、２０ｍｓごとにデータ通信を行うとする。この場合、ＳＰＳでは、ＲＲＣコネクションの際に、２０ｍｓという通信周期を基地局から無線端末に通知する。基地局は、ＳＰＳの通信を開始するとき、ＰＤＣＣＨによるアクティベーションコマンドで、ＳＰＳの通信に使用する無線リソースを指定し、通信を開始する。【０００６】
このように、ＳＰＳは、予め通信周期を無線端末に通知し、通信を開始するときにＰＤＣＣＨで無線リソースを指定する。これにより、ＳＰＳでは、その後の周期的な通信において、ＰＤＣＣＨによるＤＬアサインメントまたはＵＬグラントを送信することを回避できる。すなわち、ＳＰＳは、パケットサイズの小さいデータをＰＤＳＣＨ（Physical Downlink Shared Channel）上で送信すればよく、ＰＤＣＣＨのシグナリングオーバヘッドを低減することができる。
【先行技術文献】
【非特許文献】
【０００７】
【非特許文献１】3GPP TS36.321, "Medium Access Control (MAC) protocol specification", V10.1.0, Release 10, March 2011.
【非特許文献２】3GPP TS36.213, "Physical layer procedures", V10.1.0, Release 10, March 2011.
【発明の概要】
【発明が解決しようとする課題】
【０００８】
しかし、ＳＰＳでは、１つの周期しか設定できず、１つの通信しか制御できないという問題点があった。
本件はこのような点に鑑みてなされたものであり、複数の周期的通信の制御を行うことができる無線端末および基地局を提供することを目的とする。
【課題を解決するための手段】
【０００９】
上記課題を解決するために、基地局と無線通信を行う無線端末が提供される。この無線端末は、前記基地局と複数の周期的通信を行う通信部と、前記基地局から送信される制御チャネルに前記複数の周期的通信を識別するための識別情報が含まれ、前記識別情報によって前記複数の周期的通信のそれぞれの活性化および解放の少なくともいずれかを制御する通信制御部と、を有する。【００１０】
また、上記課題を解決するために、基地局と無線通信を行う無線端末が提供される。この無線端末は、前記基地局と複数の周期的通信を行う通信部と、制御チャネルの誤り検出のための符号領域をマスクする、前記複数の周期的通信に対応した識別子を前記基地局から受信する受信部と、前記基地局から受信した前記識別子と前記制御チャネルとに基づいて前記複数の周期的通信のそれぞれの活性化および解放の少なくともいずれかを制御する通信制御部と、を有する。
【発明の効果】
【００１１】
開示の装置によれば、複数の周期的通信の制御を行うことができる。
本発明の上記および他の目的、特徴および利点は本発明の例として好ましい実施の形態を表す添付の図面と関連した以下の説明により明らかになるであろう。
【図面の簡単な説明】
【００１２】
【図１】第１の実施の形態に係る無線通信システムを示した図である。
【図２】第２の実施の形態に係る無線通信システムを示した図である。
【図３】ＳＰＳの動作を説明する図である。
【図４】ＳＰＳのアクティベーションおよびリリースを説明する図である。
【図５】ＤＬのＳＰＳのＨＡＲＱ動作を説明する図である。
【図６】ＵＬのＳＰＳのＨＡＲＱ動作を説明する図である。
【図７】ＤＬのＳＰＳのアクティベーションおよびリリースのフォーマットを説明する図である。
【図８】ＵＬのＳＰＳのアクティベーションおよびリリースのフォーマットを説明する図である。
【図９】ＤＬのＳＰＳの動作を説明する図である。
【図１０】ＤＬのＳＰＳのアクティベーションおよびリリースのフォーマットを説明する図である。
【図１１】ＵＬのＳＰＳのアクティベーションおよびリリースのフォーマットを説明する図である。
【図１２】無線端末のハードウェア構成例を示した図である。
【図１３】基地局のハードウェア構成例を示した図である。
【図１４】無線端末のブロック図である。
【図１５】基地局のブロック図である。
【図１６】基地局のＤＬのＳＰＳ動作を示したフローチャートである。
【図１７】無線端末のＤＬのＳＰＳ動作を示したフローチャートである。
【図１８】第３の実施の形態に係る基地局のＤＬのＳＰＳ動作を示したフローチャートである。
【図１９】第３の実施の形態に係る無線端末のＤＬのＳＰＳ動作を示したフローチャートである。
【図２０】キャリアアグリゲーションを説明する図である。
【図２１】クロスキャリアスケジューリングを説明する図である。
【図２２】第４の実施の形態に係るＤＬのＳＰＳのアクティベーションおよびリリースのフォーマットを説明する図である。
【図２３】第４の実施の形態に係るＵＬのＳＰＳのアクティベーションおよびリリースのフォーマットを説明する図である。
【図２４】基地局のＤＬのＳＰＳ動作を示したフローチャートである。
【図２５】無線端末のＤＬのＳＰＳ動作を示したフローチャートである。
【図２６】第５の実施の形態に係る基地局のＤＬのＳＰＳ動作を示したフローチャートである。
【図２７】第５の実施の形態に係る無線端末のＤＬのＳＰＳ動作を示したフローチャートである。
【図２８】第６の実施の形態に係る基地局のＤＬのＳＰＳ動作を示したフローチャートである。
【図２９】第６の実施の形態に係る無線端末のＤＬのＳＰＳ動作を示したフローチャートである。
【発明を実施するための形態】
【００１３】
以下、実施の形態を、図面を参照して詳細に説明する。
［第１の実施の形態］
図１は、第１の実施の形態に係る無線通信システムを示した図である。図１に示すように、無線通信システムは、無線端末１および基地局２を有している。無線端末１は、通信部１ａおよび通信制御部１ｂを有し、基地局２は、通信部２ａおよび通信制御部２ｂを有している。
【００１４】
基地局２の通信部２ａは、無線端末１と複数の周期的通信を行う。例えば、通信部２ａは、無線端末１と複数のＳＰＳの通信を行うことができる。例えば、通信部２ａは、無線端末１と３つのＳＰＳの通信を張ることができ、３つのＳＰＳの通信のそれぞれで異なる属性のデータを通信することができる。
【００１５】
通信制御部２ｂは、無線端末１が複数の周期的通信のそれぞれの活性化（アクティベーション）および解放（リリース）の少なくともいずれかを制御できるように、通信部２ａの複数の周期的通信を識別するための識別情報を制御チャネルに含める。
【００１６】
例えば、制御チャネルは、ＰＤＣＣＨである。ＰＤＣＣＨには、例えば、ＨＡＲＱ（Hybrid Automatic Repeat Request）のプロセスナンバを管理する３ビットの領域がある。ＳＰＳのアクティベーションでは、ＨＡＲＱの３ビットの領域に‘０００’がセットされるが、通信制御部２ｂは、このＨＡＲＱの領域で複数のＳＰＳを識別し、各ＳＰＳのアクティベーションに用いる。
【００１７】
具体的には、通信制御部２ｂは、ＨＡＲＱの３ビットをビットマップとして用いる。そして、通信制御部２ｂは、ＨＡＲＱの３ビットの各ビットを３つのＳＰＳに対応させ、３つのＳＰＳを識別する。
【００１８】
例えば、３つのＳＰＳ１〜ＳＰＳ３は、３ビットのビットマップの各ビットに対応するとする。通信制御部２ｂは、例えば、ＳＰＳ１をアクティベーションしたい場合、ＰＤＣＣＨのＨＡＲＱの領域に‘００１’をセットする。また、通信制御部２ｂは、例えば、ＳＰＳ２，３をアクティベーションしたい場合、ＰＤＣＣＨのＨＡＲＱの領域に‘１１０’をセットする。また、通信制御部２ｂは、例えば、ＳＰＳ１，３をアクティベーションしたい場合、ＰＤＣＣＨのＨＡＲＱの領域に‘１０１’をセットする。
【００１９】
無線端末１の通信部１ａは、基地局２と複数の周期的通信を行う。例えば、通信部１ａは、基地局２と複数のＳＰＳの通信を行うことができる。上記例に従えば、通信部１ａは、基地局２と３つのＳＰＳの通信を張ることができ、３つのＳＰＳの通信のそれぞれで異なる属性のデータを通信することができる。
【００２０】
通信制御部１ｂは、基地局２から送信される制御チャネルに含まれる識別情報によって、通信部１ａの複数の周期的通信のそれぞれのアクティベーションおよびリリースの少なくともいずれかを制御する。
【００２１】
例えば、制御チャネルは、上記したように、ＰＤＣＣＨである。ＰＤＣＣＨには、ＨＡＲＱのプロセスナンバを管理する３ビットの領域がある。上記例に従い、無線端末１と基地局２との間には、ＳＰＳ１〜ＳＰＳ３を張ることができるとする。
【００２２】
この場合において、通信制御部１ｂは、例えば、基地局２から受信したＰＤＣＣＨのＨＡＲＱの領域に‘００１’がセットされている場合、ＳＰＳ１をアクティベーションする。また、通信制御部１ｂは、例えば、基地局２から受信したＰＤＣＣＨのＨＡＲＱの領域に‘１１０’がセットされている場合、ＳＰＳ２，３をアクティベーションする。また、通信制御部１ｂは、例えば、基地局２から受信したＰＤＣＣＨのＨＡＲＱの領域に‘１０１’がセットされている場合、ＳＰＳ１，３をアクティベーションする。
【００２３】
このように、基地局２の通信制御部２ｂは、無線端末１が複数の周期的通信のそれぞれのアクティベーションおよびリリースの少なくともいずれかを制御できるように、通信部２ａの複数の周期的通信を識別するための識別情報を制御チャネルに含めるようにした。また、無線端末１の通信制御部１ｂは、基地局２から送信される制御チャネルの識別情報によって、通信部１ａの複数の周期的通信のそれぞれのアクティベーションおよびリリースの少なくともいずれかを制御するようにした。これにより、無線端末１および基地局２は、複数の周期的通信の制御を行うことができる。
【００２４】
［第２の実施の形態］
次に、第２の実施の形態を、図面を参照して詳細に説明する。
図２は、第２の実施の形態に係る無線通信システムを示した図である。図２に示すように、無線通信システムは、無線端末１０および基地局２０を有している。無線端末１０は、例えば、携帯電話機である。無線端末１０および基地局２０は、例えば、ＬＴＥによって無線通信を行う。
【００２５】
無線端末１０および基地局２０は、複数の周期的通信を行う。例えば、無線端末１０および基地局２０は、複数のＳＰＳを張り、複数の異なる属性のデータを送受信する。例えば、基地局２０は、ＳＰＳ１で画像データをＵＥ（User Equipment）に送信し、ＳＰＳ２で音声データをＵＥに送信する。無線端末１０および基地局２０について説明する前に、ＳＰＳについて説明する。
【００２６】
図３は、ＳＰＳの動作を説明する図である。図３には、ＤＬのＳＰＳの動作が示してある。図３の点線矢印は時間の経過を示し、黒の四角は、ｅＮＢ（evolved NodeB）からＵＥにデータが送信されるタイミングを示している。
【００２７】
ＳＰＳは、例えば、ＶｏＩＰなどのリアルタイム通信に用いられる。図３に示すように、ＳＰＳでは、周期的にデータがｅＮＢからＵＥに送信される。例えば、２０ｍｓでｅＮＢからＵＥにデータが送信される。
【００２８】
図４は、ＳＰＳのアクティベーションおよびリリースを説明する図である。図４に示すＬ１〜Ｌ３は、ｅＮＢとＵＥのレイヤを示している。Ｌ１は物理レイヤであり、例えば、信号の多重化、チャネル符号化、変調などの処理を行う。Ｌ２はＭＡＣ（Medium Access Control）レイヤであり、例えば、トランスポートチャネルや論理チャネルなどのデータ伝送サービスを提供する。Ｌ３はＲＬＣ（Radio Link Control）レイヤであり、例えば、ＲＲＣコネクション処理などを行う。
【００２９】
ＳＰＳの通信を行うには、まず、矢印Ａ１１に示すように、Ｌ３のＲＲＣコネクションにおいて、ｅＮＢからＵＥに予め通信周期を通知する。そして、ＳＰＳでは、実際に通信を開始するときに、Ｌ１のＰＤＣＣＨでアクティベーションコマンドを通知する。このアクティベーションコマンドのＰＤＣＣＨには、ＳＰＳの通信で使用する無線リソースの情報が含まれている。例えば、ＰＤＣＣＨには、データの符号化率、変調方式、使用するＲＢ（Resource Block）などの無線リソース情報が含まれている。
【００３０】
ｅＮＢは、アクティベーションコマンドを通知するとともに、第１周期目のデータを送信する。ＵＥは、アクティベーションコマンドの受信とともに、第１周期目のデータを受信する。そして、ｅＮＢとＵＥは、図４に示す黒の四角に示すように、予め通信された通信周期で、ＳＰＳのデータ通信を行う。ｅＮＢは、アクティベーションコマンド通知後の通信では、ＰＤＣＣＨでＤＬアサインメントを送信しないので、ＰＤＣＣＨのシグナリングオーバヘッドを低減できる。
【００３１】
ＳＰＳの通信を停止または終了するには、矢印Ａ１３に示すように、ｅＮＢがＵＥに対し、Ｌ１のＰＤＣＣＨでリリースコマンドを通知する。または、ｅＮＢは、implicit Release Afterというパラメータで指定された回数、ＵＥに対し空送信する。これにより、ＳＰＳの通信は解放される。
【００３２】
ＳＰＳの通信を再開するときは、ｅＮＢは、再びアクティベーションコマンドをＵＥに送信し、使用する無線リソースを指定する。これにより、ｅＮＢとＵＥは、以前に通知されていた通信周期でＳＰＳを再開する。
【００３３】
なお、上記では、ＤＬのＳＰＳについて説明したが、ＵＬについても同様である。例えば、ＵＬのＳＰＳの通信を行う場合、ｅＮＢは、予めＵＥに対し、ＳＰＳの通信周期を通知する。ｅＮＢは、ＵＬのＳＰＳの通信を開始するときに、ＵＥに対してアクティベーションコマンドを送信する。そして、ｅＮＢとＵＥは、予め通信された通信周期でＳＰＳのデータ通信を行う。ｅＮＢは、アクティベーションコマンド通知後の通信では、ＰＤＣＣＨでＵＬグラントを送信しないので、ＰＤＣＣＨのシグナリングオーバヘッドを低減できる。
【００３４】
図５は、ＤＬのＳＰＳのＨＡＲＱ動作を説明する図である。図５に示すように、ＤＬのＳＰＳでは、ＵＥはデータを受信すると、４ｍｓ後にデータの受信結果を示すＡＣＫまたはＮＡＣＫをｅＮＢに返す。ｅＮＢは、ＵＥからＮＡＣＫを受信すると、図５の矢印Ａ１４に示すように、任意の時間で、ＮＡＣＫに対応するデータを再送する。ｅＮＢは、データを再送する際、ＰＤＣＣＨで再送するデータの無線リソースを指定することができる。
【００３５】
図６は、ＵＬのＳＰＳのＨＡＲＱ動作を説明する図である。図６に示すように、ＵＬのＳＰＳでは、ｅＮＢはデータを受信すると、４ｍｓ後にデータの受信結果を示すＡＣＫまたはＮＡＣＫをＵＥに返す。ＵＥは、ｅＮＢからＮＡＣＫを受信すると、図６の矢印Ａ１５，Ａ１６に示すように、４ｍｓ後にＮＡＣＫに対応するデータを再送する。
【００３６】
図７は、ＤＬのＳＰＳのアクティベーションおよびリリースのフォーマットを説明する図である。ＰＤＣＣＨのフォーマットは、ＤＣＩ（Downlink Control Information）フォーマットと呼ばれるフォーマットにより規定される。
【００３７】
図７に示すように、１系のＤＣＩフォーマットのＤＣＩフォーマット１／１Ａは、ＭＩＭＯ（Multi Input Multi Output）通信が適用されない場合のアクティベーションに使用される。２系のＤＣＩフォーマットのＤＣＩフォーマット２／２Ａ／２Ｂ／２Ｃは、ＭＩＭＯ通信が適用される場合のアクティベーションに使用される。ＤＣＩフォーマット１Ａは、ＭＩＭＯ通信が適用されない場合および適用される場合の両方のリリースに使用される。
【００３８】
例えば、ｅＮＢとＵＥは、ＭＩＭＯ通信を適用していないとする。ｅＮＢは、ＤＬのＳＰＳのアクティベーションを行うとする。この場合、ｅＮＢは、ＤＣＩフォーマット１／１ＡのＰＤＣＣＨでアクティベーションを行う。
【００３９】
このとき、ｅＮＢは、ＰＤＣＣＨの各フィールドを、図７のＤＣＩフォーマット１／１Ａの欄に示すように設定する。例えば、ｅＮＢは、ＮＤＩ（New Data Indicator）を‘０’にする。また、ｅＮＢは、通信方式がＦＤＤ（Frequency Division Duplex）の場合、３ビットのＨＡＲＱプロセスナンバ（HARQ Process number）を‘０００’にセットする。また、ｅＮＢは、通信方式がＴＤＤ（Time Division Duplex）の場合、４ビットのＨＡＲＱプロセスナンバを‘００００’にセットする。また、ｅＮＢは、５ビットのModulation and coding schemeのＭＳＢ（Most Significant Bit）を０にセットし、下位４ビットで、ＤＬのＳＰＳの変調方式および符号化率を設定する。また、ｅＮＢは、Redundancy versionを‘００’にセットする。また、ｅＮＢは、Resource block assignmentに、ＤＬのＳＰＳの通信で使用するＲＢをセットする。
【００４０】
ＰＤＣＣＨは、ＵＥ個別に送信される。ｅＮＢは、ＵＥ個別のＰＤＣＣＨを送信する際、ＰＤＣＣＨのＣＲＣ（Cyclic Redundancy Checking）を、ＳＰＳ−ＣＲＮＴＩ（Cell Radio Network Temporary Identifier）と呼ばれる識別子でマスクして送信する。ＳＰＳ−ＣＲＮＴＩは、ｅＮＢが自分のセル内に属しているＵＥを識別するために、ＵＥに付与する識別子である。
【００４１】
ＵＥは、ＰＤＣＣＨを受信すると、ｅＮＢから付与されたＳＰＳ−ＣＲＮＴＩで、マスクされたＣＲＣを解く。そして、ＵＥは、受信したＰＤＣＣＨがＤＣＩフォーマットのどのフォーマットであるかをデコードする。そして、ＵＥは、デコードしたフォーマットがＤＣＩフォーマット１／１Ａであり、そのフィールドが図７のＤＣＩフォーマット１／１Ａの欄に示すように設定されている場合、ＳＰＳの通信をアクティベーションする。
【００４２】
すなわち、ｅＮＢは、ＳＰＳの通信をアクティベーションする場合、ＤＣＩフォーマット１／１ＡのＰＤＣＣＨのフィールドを、図７のＤＣＩフォーマット１／１Ａの欄に示すように設定する。ＵＥは、ｅＮＢから受信したＰＤＣＣＨのフォーマットがＤＣＩフォーマット１／１Ａで、そのフィールドが図７のＤＣＩフォーマット１／１Ａの欄に示すように設定されている場合、ＳＰＳの通信をアクティベーションする。
【００４３】
ｅＮＢとＵＥとの通信に、ＭＩＭＯ通信が適用されている場合について説明する。ｅＮＢは、ＭＩＭＯ通信が適用されている場合、ＤＣＩフォーマット２／２Ａ／２Ｂ／２ＣのＰＤＣＣＨで、ＤＬのＳＰＳのアクティベーションを行う。このとき、ｅＮＢは、ＰＤＣＣＨの各フィールドを、図７のＤＣＩフォーマット２／２Ａ／２Ｂ／２Ｃの欄に示すように設定する。
【００４４】
ＵＥは、上記のＭＩＭＯ通信が適用されていない場合と同様に、受信したＰＤＣＣＨのＣＲＣをＳＰＳ−ＣＲＮＴＩで解き、ＰＤＣＣＨのＤＣＩフォーマットをデコードする。ＵＥは、デコードしたＰＤＣＣＨのフォーマットがＤＣＩフォーマット２／２Ａ／２Ｂ／２Ｃであり、そのフィールドが図７のＤＣＩフォーマット２／２Ａ／２Ｂ／２Ｃの欄に示すように設定されている場合、ＳＰＳの通信をアクティベーションする。
【００４５】
ＤＬのＳＰＳのリリースについて説明する。ｅＮＢは、ＤＬのＳＰＳをリリースする場合、ＭＩＭＯ通信の適用に関係なく、ＤＣＩフォーマット１ＡのＰＤＣＣＨを用いる。このとき、ｅＮＢは、ＰＤＣＣＨの各フィールドを、図７のＤＣＩフォーマット１Ａの欄に示すように設定する。
【００４６】
ＵＥは、受信したＰＤＣＣＨのＣＲＣをＳＰＳ−ＣＲＮＴＩで解き、ＰＤＣＣＨのＤＣＩフォーマットをデコードする。ＵＥは、デコードしたＰＤＣＣＨのフォーマットがＤＣＩフォーマット１Ａであり、そのフィールドが図７のＤＣＩフォーマット１Ａの欄に示すように設定されている場合、ＳＰＳの通信をリリースする。
【００４７】
図８は、ＵＬのＳＰＳのアクティベーションおよびリリースのフォーマットを説明する図である。図８に示すように、ＵＬのＳＰＳのアクティベーションには、ＭＩＭＯ通信の適用に関わらず、ＤＣＩフォーマット０のＰＤＣＣＨが使用される。また、ＵＬのＳＰＳのリリースには、ＭＩＭＯ通信の適用に関わらず、ＤＣＩフォーマット０のＰＤＣＣＨが使用される。
【００４８】
例えば、ｅＮＢは、ＵＬのＳＰＳのアクティベーションを行うとする。この場合、ｅＮＢは、ＤＣＩフォーマット０のＰＤＣＣＨで、ＳＰＳのアクティベーションを行う。このとき、ｅＮＢは、ＰＤＣＣＨの各フィールドを、図８の左側のＤＣＩフォーマット０の欄に示すように設定する。例えば、ｅＮＢは、ＮＤＩを‘０’にセットする。また、ｅＮＢは、TPC(Transmission Power Control) command for scheduled PUSCH(Physical Uplink Control Channel)を‘００’にセットする。また、ｅＮＢは、Cyclic shift DM(DeModulation) RS(Reference Signal)を‘０００’にセットする。また、ｅＮＢは、Modulation and coding scheme and redundancy versionのＭＳＢ‘０’にセットし、下位４ビットで、ＵＬのＳＰＳの変調方式および符号化率を設定する。また、ｅＮＢは、Resource block assignment and hopping resource allocationに、ＵＬのＳＰＳで使用するＲＢをセットする。
【００４９】
ＵＥは、受信したＰＤＣＣＨのＣＲＣをＳＰＳ−ＣＲＮＴＩで解き、ＰＤＣＣＨのＤＣＩフォーマットをデコードする。ＵＥは、デコードしたＰＤＣＣＨのフォーマットがＤＣＩフォーマット０であり、そのフィールドが図８の左側のＤＣＩフォーマット０の欄に示すように設定されている場合、ＳＰＳの通信をアクティベーションする。
【００５０】
また、ｅＮＢは、ＵＬのＳＰＳのリリースを行うとする。この場合、ｅＮＢは、ＤＣＩフォーマット０のＰＤＣＣＨで、ＳＰＳのリリースを行う。このとき、ｅＮＢは、ＰＤＣＣＨの各フィールドを、図８の右側のＤＣＩフォーマット０の欄に示すように設定する。
【００５１】
ＵＥは、受信したＰＤＣＣＨのＣＲＣをＳＰＳ−ＣＲＮＴＩで解き、ＰＤＣＣＨのＤＣＩフォーマットをデコードする。ＵＥは、デコードしたＰＤＣＣＨのフォーマットがＤＣＩフォーマット０であり、そのフィールドが図８の右側のＤＣＩフォーマット０の欄に示すように設定されている場合、ＳＰＳの通信をリリースする。
【００５２】
無線端末１０および基地局２０について説明する。無線端末１０および基地局２０は、図２で説明したように、例えば、複数のＳＰＳを張り、複数の周期的通信を行う。
図９は、ＤＬのＳＰＳの動作を説明する図である。図９では、基地局２０は、ＳＰＳ１，ＳＰＳ２の２つでＤＬ通信を行うとする。
【００５３】
基地局２０は、ＳＰＳ１，２の２つで通信を行うには、まず、矢印Ａ２１，Ａ２２に示すように、Ｌ３のＲＲＣコネクションの際にＳＰＳ１，２の通信周期を無線端末１０に通知する。基地局２０は、ＳＰＳ１，２に対し、異なる送信周期を通知することができるが、図９では、同じ通信周期を通知している。
【００５４】
基地局２０は、ＳＰＳ１，２の通信を開始するには、矢印Ａ２３，Ａ２４に示すように、Ｌ１のＰＤＣＣＨでアクティベーションコマンドを無線端末１０に通知する。以下で詳細に説明するが、基地局２０は、ＭＩＭＯ通信が適用されていない場合、ＤＣＩフォーマット１／１ＡのＰＤＣＣＨの、ＨＡＲＱプロセスナンバフィールドを流用してＳＰＳ１，２を識別し、ＳＰＳ１，２を独立してアクティベーションする。また、基地局２０は、ＭＩＭＯ通信が適用されている場合、ＤＣＩフォーマット２／２Ａ／２Ｂ／２ＣのＰＤＣＣＨの、ＨＡＲＱプロセスナンバフィールドを流用してＳＰＳ１，２を識別し、ＳＰＳ１，２を独立してアクティベーションする。すなわち、基地局２０は、ＳＰＳ１だけをアクティベーションし、または、ＳＰＳ２だけをアクティベーションすることができる。
【００５５】
基地局２０は、ＳＰＳ１の通信を停止または終了するには、矢印Ａ２５に示すように、Ｌ１のＰＤＣＣＨでリリースコマンドを無線端末１０に通知する。以下で詳細に説明するが、基地局２０は、ＭＩＭＯ通信の適用に関係なく、ＤＣＩフォーマット１ＡのＰＤＣＣＨの、ＨＡＲＱプロセスナンバフィールドを流用してＳＰＳ１，２を識別し、ＳＰＳ１，２を独立してリリースする。例えば、基地局２０は、ＳＰＳ１だけをリリースし、または、ＳＰＳ２だけをリリースすることができる。
【００５６】
基地局２０は、リリースしたＳＰＳ２を再開することもできる。上記したように、基地局２０は、ＳＰＳ１，２を独立してアクティベーションすることができる。従って、基地局２０は、例えば、リリースしたＳＰＳ２を独立して再度アクティベーションし、ＳＰＳ２の通信を再開することができる。
【００５７】
上記のような複数のＳＰＳは、例えば、ビデオ通信に適用することが考えられる。例えば、基地局２０は、ＳＰＳ１で画像データを無線端末１０に送信し、ＳＰＳ２で音声データを無線端末１０に送信する。
【００５８】
ビデオ通信は、一般的に回線品質が劣化すると、画像データを間引き、音声データを継続して送信し続ける。従って、基地局２０は、例えば、無線回線の品質が劣化すると、画像データを送信しているＳＰＳ１をリリースし、音声データを送信しているＳＰＳ２を継続する。そして、基地局２０は、無線回線の品質が回復すると、ＳＰＳ１を再度アクティベーションする。
【００５９】
基地局２０は、ＵＬの複数のＳＰＳについても、上記のＤＬの場合と同様に、アクティベーションおよびリリースすることができる。例えば、基地局２０は、ＳＰＳ１，ＳＰＳ２の２つでＵＬ通信を行うとする。
【００６０】
基地局２０は、ＳＰＳ１，２の２つで通信を行うには、まず、Ｌ３のＲＲＣコネクションの際にＳＰＳ１，２の通信周期を無線端末１０に通知する。基地局２０は、ＳＰＳ１，２に対し、異なる送信周期を通知することができる。
【００６１】
基地局２０は、ＵＬのＳＰＳ１，２の通信を開始するには、Ｌ１のＰＤＣＣＨでアクティベーションコマンドを無線端末１０に通知する。以下で詳細に説明するが、基地局２０は、ＭＩＭＯ通信の適用に関係なく、ＤＣＩフォーマット０のＰＤＣＣＨの、Cyclic shift DM RSフィールドを流用してＳＰＳ１，２を識別し、ＳＰＳ１，２を独立してアクティベーションすることができる。例えば、基地局２０は、ＳＰＳ１だけをアクティベーションし、または、ＳＰＳ２だけをアクティベーションすることができる。
【００６２】
基地局２０は、ＳＰＳ１の通信を停止または終了するには、Ｌ１のＰＤＣＣＨでリリースコマンドを無線端末１０に通知する。以下で詳細に説明するが、基地局２０は、ＭＩＭＯ通信の適用に関係なく、ＤＣＩフォーマット０のＰＤＣＣＨの、Cyclic shift DM RSフィールドを流用してＳＰＳ１，２を識別し、ＳＰＳ１，２を独立してリリースすることがきる。例えば、基地局２０は、ＳＰＳ１だけをリリースし、または、ＳＰＳ２だけをリリースすることができる。
【００６３】
図１０は、ＤＬのＳＰＳのアクティベーションおよびリリースのフォーマットを説明する図である。図１０は、図７のＨＡＲＱプロセスナンバがSPS Index（ＳＰＳインデックス）に代わっている。
【００６４】
図１０に示すように、基地局２０は、複数のＤＬのＳＰＳを指定するために、ＨＡＲＱプロセスナンバのフィールドをＳＰＳインデックスとして流用（再定義）する。例えば、基地局２０は、ＨＡＲＱプロセスナンバのフィールドの３ビットをビットマップとして用い、３つのＳＰＳを識別する。基地局２０は、ＳＰＳインデックスで示すＳＰＳのアクティベーションおよびリリースを行う。
【００６５】
例えば、無線端末１０と基地局２０との通信には、ＭＩＭＯ通信が適用されていないとする。基地局２０は、ＲＲＣコネクションの際に、３つのＳＰＳ１〜ＳＰＳ３のそれぞれの通信周期を無線端末１０に通知したとする。
【００６６】
この場合、基地局２０は、ＤＣＩフォーマット１／１ＡのＰＤＣＣＨでアクティベーションコマンドを無線端末１０に通知する。基地局２０は、ＤＣＩフォーマット１／１ＡのＰＤＣＣＨのフィールドを、図１０のＤＣＩフォーマット１／１Ａの欄に示すように設定して、アクティベーションコマンドを無線端末１０に通知する。
【００６７】
このとき、基地局２０は、３ビットのビットマップのＳＰＳインデックスで、アクティベーションするＳＰＳを指定する。例えば、ＳＰＳインデックスの３ビットのビットマップの各ビットはＳＰＳ１〜３に対応し、ＳＰＳインデックスを（ｂ２，ｂ１，ｂ０）と表記するとする。ｂ０はＳＰＳ１に対応し、ｂ１はＳＰＳ２に対応し、ｂ２はＳＰＳ３に対応するとする。
【００６８】
基地局２０は、例えば、ＳＰＳ１をアクティベーションしたい場合、ＳＰＳインデックスのフィールドに、‘００１’をセットする。また、基地局２０は、例えば、ＳＰＳ２，３をアクティベーションしたい場合、ＳＰＳインデックスのフィールドに、‘１１０’をセットする。これにより、基地局２０は、ＳＰＳ１だけをアクティベーションすることができ、または、ＳＰＳ２，３だけをアクティベーションすることができる。
【００６９】
基地局２０は、ＭＩＭＯ通信が適用される場合も上記と同様に、ＤＣＩフォーマット２／２Ａ／２Ｂ／２ＣのＳＰＳインデックスを用いて、アクティベーションしたいＳＰＳ１〜ＳＰＳ３を指定することができる。また、基地局２０は、ＤＣＩフォーマット１ＡのＳＰＳインデックスを用いて、リリースしたいＳＰＳ１〜ＳＰＳ３を指定することができる。
【００７０】
なお、ＨＡＲＱプロセスナンバの４ビットをＳＰＳインデックスとして流用することもできる。ただし、通信方式がＦＤＤの場合、ＨＡＲＱプロセスナンバには３ビットしか割り当てられていないので、４ビット目を用いてＳＰＳを指定できなくなる。従って、ＨＡＲＱプロセスナンバの３ビットをＳＰＳインデックスとして流用するのが好ましい。すなわち、ＨＡＲＱプロセスナンバの３ビットをＳＰＳインデックスとして流用すれば、通信方式がＦＤＤおよびＴＤＤのどちらであっても、ＳＰＳインデックスとして使用できる。
【００７１】
図１１は、ＵＬのＳＰＳのアクティベーションおよびリリースのフォーマットを説明する図である。図１１は、図８のCyclic shift DM RSがＳＰＳインデックスに代わっている。
【００７２】
図１１に示すように、基地局２０は、複数のＵＬのＳＰＳを指定するために、Cyclic shift DM RSのフィールドをＳＰＳインデックスとして流用する。例えば、基地局２０は、Cyclic shift DM RSのフィールドの３ビットをビットマップとして用い、３つのＳＰＳを識別する。基地局２０は、ＳＰＳインデックスで示すＳＰＳによって、そのＳＰＳをアクティベーションおよびリリースする。
【００７３】
例えば、基地局２０は、ＲＲＣコネクションの際に、３つのＳＰＳ１〜ＳＰＳ３のそれぞれの通信周期を無線端末１０に通知したとする。
この場合、基地局２０は、ＭＩＭＯ通信の適用に関係なく、ＤＣＩフォーマット０のＰＤＣＣＨでアクティベーションコマンドを無線端末１０に通知する。基地局２０は、ＤＣＩフォーマット０のＰＤＣＣＨのフィールドを、図１１の左側のＤＣＩフォーマット０の欄に示すように設定して、アクティベーションコマンドを無線端末１０に通知する。
【００７４】
このとき、基地局２０は、３ビットのビットマップのＳＰＳインデックスで、アクティベーションするＳＰＳを指定する。例えば、ＳＰＳインデックスの３ビットのビットマップの各ビットは、ＳＰＳ１〜ＳＰＳ３に対応し、ＳＰＳインデックスを（ｂ２，ｂ１，ｂ０）と表記するとする。ｂ０はＳＰＳ１に対応し、ｂ１はＳＰＳ２に対応し、ｂ２はＳＰＳ３に対応するとする。
【００７５】
基地局２０は、例えば、ＳＰＳ１をアクティベーションしたい場合、ＳＰＳインデックスのフィールドに、‘００１’をセットする。また、基地局２０は、例えば、ＳＰＳ２，３をアクティベーションしたい場合、ＳＰＳインデックスのフィールドに、‘１１０’をセットする。これにより、基地局２０は、ＳＰＳ１だけをアクティベーションすることができ、または、ＳＰＳ２，３だけをアクティベーションすることができる。
【００７６】
基地局２０は、ＳＰＳ１〜ＳＰＳ３をリリースする場合も上記と同様に、ＤＣＩフォーマット０のＳＰＳインデックスを用いて、リリースしたいＳＰＳ１〜ＳＰＳ３を指定することができる。
【００７７】
図１２は、無線端末のハードウェア構成例を示した図である。図１２に示すように、無線端末１０は、プロセッサ３１、メインメモリ３２、ＲＯＭ（Read Only Memory）３３、ストレージ３４、コミュニケーションインタフェース３５、入出力装置３６、ディスプレイ３７、およびバス３８を有している。
【００７８】
プロセッサ３１には、バス３８を介して、メインメモリ３２、ＲＯＭ３３、ストレージ３４、コミュニケーションインタフェース３５、入出力装置３６、およびディスプレイ３７が接続されている。無線端末１０は、プロセッサ３１によって装置全体が制御されている。プロセッサ３１は、例えば、ＣＰＵ（Central Processing Unit）である。
【００７９】
メインメモリ３２には、プロセッサ３１の各種処理で用いられるデータやプログラムが一時的に格納される。ＲＯＭ３３には、無線端末１０の動作を規定するプロトコル等の静的情報が格納されている。例えば、ＲＯＭ３３には、プロセッサ３１がデータプレーン処理、制御プレーン処理、またはスケジューリング処理等を実行するための情報が格納されている。ストレージ３４には、プロセッサ３１の各種処理で用いられるデータやプログラムが格納されている。コミュニケーションインタフェース３５は、基地局２０と無線通信を行う。例えば、コミュニケーションインタフェース３５は、ベースバンド信号を無線周波数に変換し、図示しないアンテナに出力する。また、コミュニケーションインタフェース３５は、図示しないアンテナで受信された無線信号をベースバンド信号に周波数変換する。
【００８０】
入出力装置３６は、例えば、キー、スピーカ、およびマイクである。例えば、キーは、ユーザの入力する文字や数字を受け付ける。また、スピーカは、例えば、基地局２０から受信した音声信号を音声に変換して出力する。また、マイクは、ユーザの音声を電気信号に変換する。ディスプレイ３７は、例えば、ＬＣＤ（Liquid Crystal Display）である。ディスプレイ３７は、例えば、基地局２０から受信したデータを表示する。
【００８１】
図１３は、基地局のハードウェア構成例を示した図である。図１３に示すように、基地局２０は、プロセッサ４１、メインメモリ４２、ＲＯＭ４３、ストレージ４４、コミュニケーションインタフェース４５、およびバス４６を有している。
【００８２】
プロセッサ４１には、バス４６を介して、メインメモリ４２、ＲＯＭ４３、ストレージ４４、およびコミュニケーションインタフェース４５が接続されている。基地局２０は、プロセッサ４１によって装置全体が制御されている。プロセッサ４１は、例えば、ＣＰＵである。
【００８３】
メインメモリ４２には、プロセッサ４１の各種処理で用いられるデータやプログラムが一時的に格納される。ＲＯＭ４３には、基地局２０の動作を規定するプロトコル等の静的情報が格納されている。例えば、ＲＯＭ４３には、プロセッサ４１がデータプレーン処理、制御プレーン処理、またはスケジューリング処理等を実行するための情報が格納されている。ストレージ４４には、プロセッサ４１の各種処理で用いられるデータやプログラムが格納されている。コミュニケーションインタフェース４５は、無線端末１０と無線通信を行う。例えば、コミュニケーションインタフェース４５は、ベースバンド信号を無線周波数に変換し、図示しないアンテナに出力する。また、コミュニケーションインタフェース４５は、図示しないアンテナで受信された無線信号をベースバンド信号に周波数変換する。また、コミュニケーションインタフェース４５は、Ｓ−ＧＷ（Serving-GateWay）などの上位装置と有線通信を行う。
【００８４】
図１４は、無線端末のブロック図である。図１４に示すように、無線端末１０は、送受信部５１、上り送信部５２、および制御部５３を有している。制御部５３は、データプレーン部５４および制御プレーン部５５を有している。データプレーン部５４は、ＳＰＳ送信管理部５４ａおよびＨＡＲＱ管理部５４ｂを有している、制御プレーン部５５は、ＳＰＳ周期制御部５５ａおよびＳＰＳ通信制御部５５ｂを有している。送受信部５１および上り送信部５２は、例えば、図１２に示したコミュニケーションインタフェース３５によってその機能が実現される。制御部５３は、例えば、図１２に示したプロセッサ３１によってその機能が実現される。
【００８５】
送受信部５１は、無線伝送されるデータの送受信を行う。上り送信部５２は、上りデータの送信処理を行う。例えば、上り送信部５２は、送信データの確認応答などの処理を行う。
【００８６】
データプレーン部５４は、物理レイヤ、ＭＡＣレイヤ、ＲＬＣレイヤ、およびＰＤＣＰ（Packet Data Control Protocol）レイヤの各種制御を行う。ＳＰＳ送信管理部５４ａは、複数のＳＰＳのデータ送信タイミングを管理する。ＨＡＲＱ管理部５４ｂは、データのＨＡＲＱ管理を行う。
【００８７】
制御プレーン部５５は、ＲＲＣプロトコルの処理を行い、また、全レイヤの制御を行う。ＳＰＳ周期制御部５５ａは、複数のＳＰＳの周期を個別に制御する。ＳＰＳ通信制御部５５ｂは、ＳＰＳのデータの送受信タイミングや無線リソースを個別に制御する。
【００８８】
図１５は、基地局のブロック図である。図１５に示すように、基地局２０は、送受信部６１，６３、スケジューリング部６２、および制御部６４を有している。制御部６４は、データプレーン部６５および制御プレーン部６６を有している。データプレーン部６５は、ＳＰＳ送信管理部６５ａおよびＨＡＲＱ管理部６５ｂを有している。制御プレーン部６６は、ＳＰＳ周期制御部６６ａおよびＳＰＳ通信制御部６６ｂを有している。送受信部６１，６３は、例えば、図１３に示したコミュニケーションインタフェース４５によってその機能が実現される。スケジューリング部６２および制御部６４は、例えば、図１３に示したプロセッサ４１によってその機能が実現される。
【００８９】
送受信部６１は、無線伝送されるデータの送受信を行う。スケジューリング部６２は、無線伝送されるデータのスケジューリングを行う。送受信部６３は、上位装置との間のデータを送受信する。
【００９０】
データプレーン部６５は、物理レイヤ、ＭＡＣレイヤ、ＲＬＣレイヤ、およびＰＤＣＰレイヤの各種制御を行う。ＳＰＳ送信管理部６５ａは、複数のＳＰＳのデータ送信タイミングを管理する。ＨＡＲＱ管理部５４ｂは、データのＨＡＲＱ管理を行う。
【００９１】
制御プレーン部６６は、ＲＲＣプロトコルの処理を行い、また、全レイヤの制御を行う。ＳＰＳ周期制御部６６ａは、複数のＳＰＳの周期を個別に制御する。ＳＰＳ通信制御部６６ｂは、ＳＰＳのデータの送受信タイミングや無線リソースを個別に制御する。
【００９２】
図１６は、基地局のＤＬのＳＰＳ動作を示したフローチャートである。
［ステップＳ１］基地局２０のＳＰＳ周期制御部６６ａは、複数のＳＰＳの通信周期を個別に設定する。例えば、ＳＰＳ周期制御部６６ａは、ビデオ通信を行う場合、画像データのＳＰＳの通信周期と、音声データのＳＰＳの通信周期とを設定する。
【００９３】
ＳＰＳ通信制御部６６ｂは、ＲＲＣコネクションの際、送受信部６１を介して、ＳＰＳ周期制御部６６ａの設定した複数のＳＰＳの周期を無線端末１０に送信する。
［ステップＳ２］ＳＰＳ通信制御部６６ｂは、通信を開始するＳＰＳをアクティベーションする。ＳＰＳ通信制御部６６ｂは、ＰＤＣＣＨのＳＰＳインデックスで、アクティベーションするＳＰＳを指定する。例えば、ＳＰＳ通信制御部６６ｂは、ＳＰＳインデックスの３ビットのビットマップで、アクティベーションするＳＰＳを指定する。
【００９４】
送受信部６１は、ＳＰＳ通信制御部６６ｂの生成したアクティベーションコマンドのＰＤＣＣＨを無線端末１０に送信する。なお、送受信部６１は、アクティベーションコマンドのＰＤＣＣＨを送信するとき、ＳＰＳの第１周期目のデータをＰＤＳＣＨで無線端末１０に送信する。
【００９５】
［ステップＳ３］ＳＰＳ送信管理部６５ａは、ＳＰＳ周期制御部６６ａの設定した通信周期に基づいて、アクティベーションされたＳＰＳの送信データの送信タイミングを判断する。ＳＰＳ送信管理部６５ａは、アクティベーションされたＳＰＳの送信データの送信タイミングであると判断した場合、ステップＳ４へ進む。ＳＰＳ送信管理部６５ａは、アクティベーションされたＳＰＳの送信データの送信タイミングでないと判断した場合、ステップＳ３の判断処理を繰り返す。
【００９６】
［ステップＳ４］送受信部６１は、ＳＰＳで送信するデータを無線端末１０に送信する。
［ステップＳ５］ＳＰＳ通信制御部６６ｂは、ＳＰＳの通信をリリースするか否か判断する。例えば、ＳＰＳ通信制御部６６ｂは、無線回線の状態に基づいて、リリースするＳＰＳを判断する。例えば、ＳＰＳ通信制御部６６ｂは、無線回線の状態がある閾値より低くなると、画像データを間引くために、画像データの通信を行っているＳＰＳのリリースを判断する。ＳＰＳ通信制御部６６ｂは、ＳＰＳの通信をリリースすると判断した場合、ステップＳ６へ進む。ＳＰＳ通信制御部６６ｂは、ＳＰＳの通信をリリースしないと判断した場合、ステップＳ３へ進む。
【００９７】
［ステップＳ６］ＳＰＳ通信制御部６６ｂは、ＰＤＣＣＨのＳＰＳインデックスで通信をリリースするＳＰＳを指定する。例えば、ＳＰＳ通信制御部６６ｂは、ＳＰＳインデックスのビットマップで、リリースするＳＰＳを指定する。送受信部６１は、ＳＰＳ通信制御部６６ｂの生成したリリースコマンドを無線端末１０に送信する。
【００９８】
図１７は、無線端末のＤＬのＳＰＳ動作を示したフローチャートである。
［ステップＳ１１］無線端末１０のＳＰＳ通信制御部５５ｂは、ＲＲＣコネクションの際、送受信部５１を介して、基地局２０からＳＰＳの通信周期を受信する。ＳＰＳ周期制御部５５ａは、ＳＰＳの通信周期に、送受信部５１の受信した通信周期を設定する。例えば、ＳＰＳ周期制御部５５ａは、複数のＳＰＳの通信周期を管理するメモリに、受信した通信周期を格納する。
【００９９】
［ステップＳ１２］ＳＰＳ通信制御部５５ｂは、送受信部５１を介して、基地局２０からアクティベーションコマンドを受信する。ＳＰＳ通信制御部５５ｂは、受信したアクティベーションコマンドに基づいて、ＳＰＳの通信を個別にアクティベーションする。例えば、ＳＰＳ通信制御部５５ｂは、ＳＰＳインデックスの３ビットのビットマップで、アクティベーションするＳＰＳを判断する。
【０１００】
なお、送受信部５１は、アクティベーションコマンドのＰＤＣＣＨを受信したとき、ＳＰＳの第１周期目のデータをＰＤＳＣＨで受信する。
［ステップＳ１３］ＳＰＳ送信管理部５４ａは、ＳＰＳ周期制御部５５ａの設定した通信周期に基づいて、アクティベーションされたＳＰＳの受信データの受信タイミングを判断する。ＳＰＳ送信管理部５４ａは、アクティベーションされたＳＰＳの受信データの受信タイミングであると判断した場合、ステップＳ１４へ進む。ＳＰＳ送信管理部５４ａは、アクティベーションされたＳＰＳの受信データの受信タイミングでないと判断した場合、ステップＳ１３の判断処理を繰り返す。
【０１０１】
［ステップＳ１４］送受信部５１は、基地局２０から送信されるＳＰＳのデータを受信する。
［ステップＳ１５］ＳＰＳ通信制御部５５ｂは、送受信部５１を介して、リリースコマンドが受信されたか否か判断する。ＳＰＳ通信制御部５５ｂは、送受信部５１を介して、リリースコマンドが受信されていない場合、ステップＳ１３へ進む。ＳＰＳ通信制御部５５ｂは、送受信部５１を介して、リリースコマンドが受信された場合、ステップＳ１６へ進む。
【０１０２】
［ステップＳ１６］ＳＰＳ通信制御部５５ｂは、リリースコマンドで指定されたＳＰＳの通信をリリースする。リリースするＳＰＳは、ＳＰＳインデックスの３ビットのビットマップで示されている。
【０１０３】
上記では、ＤＬについて説明したが、ＵＬも同様である。例えば、基地局２０のＳＰＳ周期制御部６６ａは、ＵＬのＳＰＳの通信周期を設定する。ＳＰＳ通信制御部６６ｂは、ＲＲＣコネクションの際、送受信部６１を介して、ＳＰＳ周期制御部６６ａの設定した通信周期を無線端末１０に通知する。
【０１０４】
無線端末１０のＳＰＳ通信制御部５５ｂは、送受信部５１を介して、ＳＰＳの通信周期を受信する。ＳＰＳ周期制御部５５ａは、受信された通信周期を、ＳＰＳの通信周期に設定する。
【０１０５】
基地局２０のＳＰＳ通信制御部６６ｂは、通信を開始するＳＰＳをＳＰＳインデックスで指定し、アクティベーションする。送受信部６１は、ＳＰＳ通信制御部６６ｂの生成したアクティベーションコマンドのＰＤＣＣＨを無線端末１０に送信する。
【０１０６】
無線端末１０のＳＰＳ通信制御部５５ｂは、送受信部５１を介して、基地局２０からアクティベーションコマンドを受信する。ＳＰＳ通信制御部５５ｂは、受信したアクティベーションコマンドに基づいて、ＳＰＳの通信を個別にアクティベーションする。
【０１０７】
ＳＰＳ送信管理部５４ａは、ＳＰＳ周期制御部５５ａの設定した通信周期に基づいて、アクティベーションされたＳＰＳのデータを基地局２０へ送信する。
基地局２０の送受信部５１は、無線端末１０から送信されたＳＰＳのデータを受信する。
【０１０８】
基地局２０のＳＰＳ通信制御部６６ｂは、ＳＰＳをリリースする場合、ＰＤＣＣＨのＳＰＳインデックスでリリースするＳＰＳを指定する。
無線端末１０のＳＰＳ通信制御部５５ｂは、送受信部５１を介して受信されたリリースコマンドの指定するＳＰＳの通信をリリースする。これにより、送受信部５１は、指定されたＳＰＳの通信を停止または終了する。
【０１０９】
このように、基地局２０のＳＰＳ通信制御部６６ｂは、無線端末１０が複数のＳＰＳのそれぞれのアクティベーションを制御できるように、複数のＳＰＳを識別するためのＳＰＳインデックスをＰＤＣＣＨに含める。無線端末１０のＳＰＳ通信制御部５５ｂは、基地局２０から送信されるＰＤＣＣＨのＳＰＳインデックスによってＳＰＳのそれぞれのアクティベーションを制御する。これにより、無線端末１０および基地局２０は、シグナリングオーバヘッドを低減した複数のＳＰＳの制御を行うことができる。
【０１１０】
また、無線端末１０のＳＰＳ通信制御部５５ｂおよび基地局２０のＳＰＳ通信制御部６６ｂは、ＰＤＣＣＨのフォーマット、ＰＤＣＣＨのフィールド値、およびＳＰＳインデックスによって、ＳＰＳのそれぞれのアクティベーションおよびリリースを制御する。これによって、無線端末１０および基地局２０は、シグナリングオーバヘッドを低減した複数のＳＰＳの通信を開始でき、また、停止等をすることができる。
【０１１１】
［第３の実施の形態］
次に、第３の実施の形態を、図面を参照して詳細に説明する。第２の実施の形態では、ＳＰＳインデックスのビットマップでＳＰＳを識別するようにした。第３の実施の形態では、ＳＰＳインデックスのビット値（２進数値）でＳＰＳを識別するようにする。なお、第３の実施の形態に係る無線通信システムは、図２と同様である。また、ＰＤＣＣＨのＤＣＩフォーマットは、図１０、図１１と同様である。ただし、第３の実施の形態では、ＳＰＳをＳＰＳインデックスのビット値で識別する。また、無線端末および基地局のハードウェア構成例は、図１２、図１３と同様である。また、無線端末および基地局のブロックは、図１４、図１５と同様である。ただし、ＳＰＳ通信制御部５５ｂ，６６ｂのＳＰＳの識別の仕方が異なる。ＳＰＳ通信制御部５５ｂ，６６ｂは、ＳＰＳインデックスのビット値でＳＰＳを識別する。
【０１１２】
例えば、ＳＰＳインデックスは、図１０、図１１と同様に、３ビットのビット幅を有する。ＳＰＳ通信制御部５５ｂ，６６ｂは、ＳＰＳを指定する場合、ＳＰＳインデックスの３ビット値で指定する。
【０１１３】
例えば、ＳＰＳインデックスは、３ビット幅を有しているので、８個のＳＰＳを識別できる。例えば、ＳＰＳインデックス‘０００’をＳＰＳ１、‘００１’をＳＰＳ２、…、‘１１１’をＳＰＳ８と識別できる。
【０１１４】
例えば、基地局２０のＳＰＳ通信制御部６６ｂは、ＤＬにおいてＳＰＳ６をアクティベーションする場合、ＤＣＩフォーマット１／１ＡまたはＤＣＩフォーマット２／２Ａ／２Ｂ／２ＣのＰＤＣＣＨのＳＰＳインデックスに‘１０１’をセットする。無線端末１０のＳＰＳ通信制御部５５ｂは、受信したＤＣＩフォーマット１／１ＡまたはＤＣＩフォーマット２／２Ａ／２Ｂ／２ＣのＰＤＣＣＨのＳＰＳインデックスが‘１０１’であることによって、ＳＰＳ６をアクティベーションする。
【０１１５】
ＳＰＳ通信制御部５５ｂ，６６ｂは、ＤＬのＳＰＳをリリースする場合も同様にして、ＳＰＳインデックスのビット値でＳＰＳを識別する。また、ＳＰＳ通信制御部５５ｂ，６６ｂは、ＵＬのアクティベーションおよびリリースについても同様にして、ＳＰＳインデックスのビット値でＳＰＳを識別する。
【０１１６】
なお、ＳＰＳインデックスのビットマップでＳＰＳを識別する場合、ＳＰＳ通信制御部５５ｂ，６６ｂは、１つのＰＤＣＣＨで複数のＳＰＳをアクティベーションまたはリリースすることができる。例えば、ＳＰＳ通信制御部５５ｂ，６６ｂは、ＰＤＣＣＨのＳＰＳインデックスに‘０１１’をセットすれば、ＳＰＳ１，２をアクティベーションまたはリリースすることができる。
【０１１７】
一方、ＳＰＳインデックスのビット値でＳＰＳを識別する場合、ＳＰＳ通信制御部５５ｂ，６６ｂは、アクティベーションまたはリリースするＳＰＳごとにＰＤＣＣＨを送受信する。例えば、ＳＰＳ通信制御部５５ｂ，６６ｂは、ＳＰＳ１，２をアクティベーションまたはリリースするとする。この場合、ＳＰＳ通信制御部５５ｂ，６６ｂは、ＰＤＣＣＨのＳＰＳインデックスに‘０００’をセットし、ＰＤＣＣＨを送受信する。次いで、ＳＰＳ通信制御部５５ｂ，６６ｂは、ＰＤＣＣＨのＳＰＳインデックスに‘００１’をセットし、ＰＤＣＣＨを送受信する。これにより、ＳＰＳ１，２をアクティベーションまたはリリースすることができる。
【０１１８】
図１８は、第３の実施の形態に係る基地局のＤＬのＳＰＳ動作を示したフローチャートである。
［ステップＳ２１］基地局２０のＳＰＳ周期制御部６６ａは、複数のＳＰＳの通信周期を個別に設定する。例えば、ＳＰＳ周期制御部６６ａは、ビデオ通信を行う場合、画像データのＳＰＳの通信周期と、音声データのＳＰＳの通信周期とを設定する。
【０１１９】
ＳＰＳ通信制御部６６ｂは、ＲＲＣコネクションの際、送受信部６１を介して、ＳＰＳ周期制御部６６ａの設定した複数のＳＰＳの周期を無線端末１０に送信する。
［ステップＳ２２］ＳＰＳ通信制御部６６ｂは、通信を開始するＳＰＳをアクティベーションする。ＳＰＳ通信制御部６６ｂは、ＰＤＣＣＨのＳＰＳインデックスで、アクティベーションするＳＰＳを指定する。例えば、ＳＰＳ通信制御部６６ｂは、ＳＰＳインデックスの３ビットのビット値で、アクティベーションするＳＰＳを指定する。
【０１２０】
送受信部６１は、ＳＰＳ通信制御部６６ｂの生成したアクティベーションコマンドのＰＤＣＣＨを無線端末１０に送信する。なお、送受信部６１は、アクティベーションコマンドのＰＤＣＣＨを送信するとき、ＳＰＳの第１周期目のデータをＰＤＳＣＨで無線端末１０に送信する。
【０１２１】
［ステップＳ２３］ＳＰＳ送信管理部６５ａは、ＳＰＳ周期制御部６６ａの設定した通信周期に基づいて、アクティベーションされたＳＰＳの送信データの送信タイミングを判断する。ＳＰＳ送信管理部６５ａは、アクティベーションされたＳＰＳの送信データの送信タイミングであると判断した場合、ステップＳ２４へ進む。ＳＰＳ送信管理部６５ａは、アクティベーションされたＳＰＳの送信データの送信タイミングでないと判断した場合、ステップＳ２３の判断処理を繰り返す。
【０１２２】
［ステップＳ２４］送受信部６１は、ＳＰＳで送信するデータを無線端末１０に送信する。
［ステップＳ２５］ＳＰＳ通信制御部６６ｂは、ＳＰＳの通信をリリースするか否か判断する。例えば、ＳＰＳ通信制御部６６ｂは、無線回線の状態に基づいて、リリースするＳＰＳを判断する。例えば、ＳＰＳ通信制御部６６ｂは、無線回線の状態がある閾値より低くなると、画像データを間引くために、画像データの通信を行っているＳＰＳのリリースを判断する。ＳＰＳ通信制御部６６ｂは、ＳＰＳの通信をリリースすると判断した場合、ステップＳ２６へ進む。ＳＰＳ通信制御部６６ｂは、ＳＰＳの通信をリリースしないと判断した場合、ステップＳ２３へ進む。
【０１２３】
［ステップＳ２６］ＳＰＳ通信制御部６６ｂは、ＰＤＣＣＨのＳＰＳインデックスで通信をリリースするＳＰＳを指定する。例えば、ＳＰＳ通信制御部６６ｂは、ＳＰＳインデックスの３ビットのビット値で、リリースするＳＰＳを指定する。送受信部６１は、ＳＰＳ通信制御部６６ｂの生成したリリースコマンドを無線端末１０に送信する。
【０１２４】
図１９は、第３の実施の形態に係る無線端末のＤＬのＳＰＳ動作を示したフローチャートである。
［ステップＳ３１］無線端末１０のＳＰＳ通信制御部５５ｂは、ＲＲＣコネクションの際、送受信部５１を介して、基地局２０からＳＰＳの通信周期を受信する。ＳＰＳ周期制御部５５ａは、ＳＰＳの通信周期に、送受信部５１の受信した通信周期を設定する。例えば、ＳＰＳ周期制御部５５ａは、複数のＳＰＳの通信周期を管理するメモリに、受信した通信周期を格納する。
【０１２５】
［ステップＳ３２］ＳＰＳ通信制御部５５ｂは、送受信部５１を介して、基地局２０からアクティベーションコマンドを受信する。ＳＰＳ通信制御部５５ｂは、受信したアクティベーションコマンドに基づいて、ＳＰＳの通信を個別にアクティベーションする。例えば、ＳＰＳ通信制御部５５ｂは、ＳＰＳインデックスの３ビットのビット値で、アクティベーションするＳＰＳを判断する。
【０１２６】
なお、送受信部５１は、アクティベーションコマンドのＰＤＣＣＨを受信したとき、ＳＰＳの第１周期目のデータをＰＤＳＣＨで受信する。
［ステップＳ３３］ＳＰＳ送信管理部５４ａは、ＳＰＳ周期制御部５５ａの設定した通信周期に基づいて、アクティベーションされたＳＰＳの受信データの受信タイミングを判断する。ＳＰＳ送信管理部５４ａは、アクティベーションされたＳＰＳの受信データの受信タイミングであると判断した場合、ステップＳ３４へ進む。ＳＰＳ送信管理部５４ａは、アクティベーションされたＳＰＳの受信データの受信タイミングでないと判断した場合、ステップＳ３３の判断処理を繰り返す。
【０１２７】
［ステップＳ３４］送受信部５１は、基地局２０から送信されるＳＰＳのデータを受信する。
［ステップＳ３５］ＳＰＳ通信制御部５５ｂは、送受信部５１を介して、リリースコマンドが受信されたか否か判断する。ＳＰＳ通信制御部５５ｂは、送受信部５１を介して、リリースコマンドが受信されていない場合、ステップＳ３３へ進む。ＳＰＳ通信制御部５５ｂは、送受信部５１を介して、リリースコマンドが受信された場合、ステップＳ３６へ進む。
【０１２８】
［ステップＳ３６］ＳＰＳ通信制御部５５ｂは、リリースコマンドで指定されたＳＰＳの通信をリリースする。リリースするＳＰＳは、ＳＰＳインデックスの３ビットのビット値で示されている。
【０１２９】
なお、上記では、ＤＬについて説明したが、ＵＬも同様である。例えば、基地局２０のＳＰＳ周期制御部６６ａは、ＵＬのＳＰＳの通信周期を設定する。ＳＰＳ通信制御部６６ｂは、ＲＲＣコネクションの際、送受信部６１を介して、ＳＰＳ周期制御部６６ａの設定した通信周期を無線端末１０に通知する。
【０１３０】
無線端末１０のＳＰＳ通信制御部５５ｂは、送受信部５１を介して、ＳＰＳの通信周期を受信する。ＳＰＳ周期制御部５５ａは、受信された通信周期を、ＳＰＳの通信周期に設定する。
【０１３１】
基地局２０のＳＰＳ通信制御部６６ｂは、通信を開始するＳＰＳをＳＰＳインデックスのビット値で指定し、アクティベーションする。送受信部６１は、ＳＰＳ通信制御部６６ｂの生成したアクティベーションコマンドのＰＤＣＣＨを無線端末１０に送信する。
【０１３２】
無線端末１０のＳＰＳ通信制御部５５ｂは、送受信部５１を介して、基地局２０からアクティベーションコマンドを受信する。ＳＰＳ通信制御部５５ｂは、受信したアクティベーションコマンドに基づいて、ＳＰＳの通信を個別にアクティベーションする。
【０１３３】
ＳＰＳ送信管理部５４ａは、ＳＰＳ周期制御部５５ａの設定した通信周期に基づいて、アクティベーションされたＳＰＳのデータを基地局２０へ送信する。
基地局２０の送受信部５１は、無線端末１０から送信されたＳＰＳのデータを受信する。
【０１３４】
基地局２０のＳＰＳ通信制御部６６ｂは、ＳＰＳをリリースする場合、ＰＤＣＣＨのＳＰＳインデックスのビット値でリリースするＳＰＳを指定する。
無線端末１０のＳＰＳ通信制御部５５ｂは、送受信部５１を介して受信されたリリースコマンドの指定するＳＰＳの通信をリリースする。これにより、送受信部５１は、指定されたＳＰＳの通信を停止または終了する。
【０１３５】
このように、ＳＰＳ通信制御部５５ｂ，６６ｂは、ＳＰＳインデックスのビット値により、ＳＰＳを識別することによっても、シグナリングオーバヘッドを低減した複数のＳＰＳの制御を行うことができる。
【０１３６】
［第４の実施の形態］
次に、第４の実施の形態を、図面を参照して詳細に説明する。第４の実施の形態では、無線通信システムにキャリアアグリゲーションが適用される場合について説明する。
【０１３７】
キャリアアグリゲーションでは、ＰＤＣＣＨはＣＩＦ（Carrier Indicator Field）と呼ばれるフィールドを有する。ＳＰＳは、キャリアアグリゲーションのＰセル（Primary Cell）で通信を行うため、ＣＩＦは‘０’に設定される。第４の実施の形態では、‘０’が設定されるＣＩＦを、ＳＰＳを識別するためのフィールドに流用する。
【０１３８】
なお、第４の実施の形態に係る無線通信システムは、図２と同様である。ただし、第４の実施の形態に係る無線通信システムでは、キャリアアグリゲーションが適用される。また、無線端末および基地局のハードウェア構成例は、図１２、図１３と同様である。また、無線端末および基地局のブロックは、図１４、図１５と同様である。ただし、ＳＰＳ通信制御部５５ｂ，６６ｂのＳＰＳの識別の仕方が異なる。まず、キャリアアグリゲーションについて説明する。
【０１３９】
図２０は、キャリアアグリゲーションを説明する図である。図２０に示す横軸は周波数を示し、縦軸はパワーを示している。図２０には、ｅＮＢとＵＥとが使用する周波数帯域が示してある。
【０１４０】
ＬＴＥ−Ａでは、キャリアアグリゲーションが検討されている。キャリアアグリゲーションは、図２０に示すように、複数の周波数帯を集約し、大容量のデータ伝送を可能にする。
【０１４１】
キャリアアグリゲーションでは、制御信号の送信等、重要な制御を行うセルをＰセルと呼ぶ。その他のセルをＳセル（Secondary Cell）と呼ぶ。図２０のＰｃｅｌｌはＰセルを示し、ＳｃｅｌｌはＳセルを示している。
【０１４２】
図２１は、クロスキャリアスケジューリングを説明する図である。キャリアアグリゲーションでは、クロスキャリアスケジューリングが可能である。例えば、ｅＮＢとＵＥとが複数のキャリアを用いて無線通信を行う場合、ＰＤＣＣＨの送信に用いる無線リソースと、ＰＤＣＣＨの適用対象となるＰＤＳＣＨに用いられる無線リソースとを、異なるキャリアに割り当てられるようスケジューリングする。
【０１４３】
例えば、ｅＮＢは、ＰＤＣＣＨをＰセルでＵＥに送信する。ＰＤＣＣＨは、３ビットのＣＩＦを有し、ＵＥは、ＣＩＦでどのＳセルのＰＤＣＣＨであるかを認識する。例えば、ＵＥは、Ｐセルで受信したＰＤＣＣＨのＣＩＦが‘００１’であったとする。この場合、ＵＥは、受信したＰＤＣＣＨは、Ｓセル１のＰＤＣＣＨであることを認識することができる。
【０１４４】
以下、ＣＩＦによるＳＰＳの識別について説明する。ＳＰＳは、上記したようにＰセルで行われる。従って、ＳＰＳのＰＤＣＣＨのＣＩＦは、‘０００’に設定される。第４の実施の形態では、ＰＤＣＣＨのＣＩＦを流用して、ＳＰＳを識別する。
【０１４５】
図２２は、第４の実施の形態に係るＤＬのＳＰＳのアクティベーションおよびリリースのフォーマットを説明する図である。図２２のフォーマットは、図７のフォーマットに対し、ＣＩＦの欄を有している。
【０１４６】
図２２に示すように、基地局２０は、複数のＤＬのＳＰＳを指定するために、ＣＩＦを流用する。例えば、基地局２０は、ＣＩＦの３ビットをビットマップとして用い、３つのＳＰＳを識別する。そして、基地局２０は、ＣＩＦで示すＳＰＳのアクティベーションおよびリリースを行う。
【０１４７】
例えば、無線端末１０と基地局２０との通信には、ＭＩＭＯ通信が適用されていないとする。基地局２０は、ＲＲＣコネクションの際に、３つのＳＰＳ１〜ＳＰＳ３のそれぞれの通信周期を無線端末１０に通知したとする。
【０１４８】
この場合、基地局２０は、ＤＣＩフォーマット１／１ＡのＰＤＣＣＨでアクティベーションコマンドを無線端末１０に通知する。基地局２０は、ＤＣＩフォーマット１／１ＡのＰＤＣＣＨのフィールドを、図１０のＤＣＩフォーマット１／１Ａの欄に示すように設定して、アクティベーションコマンドを無線端末１０に通知する。
【０１４９】
このとき、基地局２０は、ＣＩＦの３ビットのビットマップで、アクティベーションするＳＰＳを指定する。例えば、ＳＰＳインデックスの３ビットのビットマップの各ビットはＳＰＳ１〜ＳＰＳ３に対応し、ＣＩＦを（ｂ２，ｂ１，ｂ０）と表記するとする。ｂ０はＳＰＳ１に対応し、ｂ１はＳＰＳ２に対応し、ｂ２はＳＰＳ３に対応するとする。
【０１５０】
基地局２０は、例えば、ＳＰＳ１をアクティベーションしたい場合、ＣＩＦに‘００１’をセットする。また、基地局２０は、例えば、ＳＰＳ２，３をアクティベーションしたい場合、ＣＩＦに‘１１０’をセットする。これにより、基地局２０は、ＳＰＳ１だけをアクティベーションすることができ、または、ＳＰＳ２，３だけをアクティベーションすることができる。
【０１５１】
基地局２０は、ＭＩＭＯ通信が適用される場合も上記と同様に、ＤＣＩフォーマット２／２Ａ／２Ｂ／２ＣのＣＩＦを用いて、アクティベーションしたいＳＰＳ１〜ＳＰＳ３を指定することができる。また、基地局２０は、ＤＣＩフォーマット１ＡのＣＩＦを用いて、リリースしたいＳＰＳ１〜ＳＰＳ３を指定することができる。
【０１５２】
図２３は、第４の実施の形態に係るＵＬのＳＰＳのアクティベーションおよびリリースのフォーマットを説明する図である。図２３のフォーマットは、図８のフォーマットに対し、ＣＩＦの欄を有している。
【０１５３】
図２３に示すように、基地局２０は、複数のＵＬのＳＰＳを指定するために、ＣＩＦを流用する。例えば、基地局２０は、ＣＩＦの３ビットをビットマップとして用い、３つのＳＰＳを識別する。そして、基地局２０は、ＣＩＦの示すＳＰＳのアクティベーションおよびリリースを行う。
【０１５４】
例えば、基地局２０は、ＲＲＣコネクションの際に、３つのＳＰＳ１〜ＳＰＳ３のそれぞれの通信周期を無線端末１０に通知したとする。
この場合、基地局２０は、ＭＩＭＯ通信の適用に関係なく、ＤＣＩフォーマット０のＰＤＣＣＨでアクティベーションコマンドを無線端末１０に通知する。基地局２０は、ＤＣＩフォーマット０のＰＤＣＣＨのフィールドを、図１１の左側のＤＣＩフォーマット０の欄に示すように設定して、アクティベーションコマンドを無線端末１０に通知する。
【０１５５】
このとき、基地局２０は、ＣＩＦの３ビットのビットマップで、アクティベーションするＳＰＳを指定する。例えば、ＣＩＦの３ビットのビットマップの各ビットは、ＳＰＳ１〜ＳＰＳ３に対応し、ＣＩＦを（ｂ２，ｂ１，ｂ０）と表記するとする。ｂ０はＳＰＳ１に対応し、ｂ１はＳＰＳ２に対応し、ｂ２はＳＰＳ３に対応するとする。
【０１５６】
基地局２０は、例えば、ＳＰＳ１をアクティベーションしたい場合、ＣＩＦに‘００１’をセットする。また、基地局２０は、例えば、ＳＰＳ２，３をアクティベーションしたい場合、ＣＩＦに‘１１０’をセットする。これにより、基地局２０は、ＳＰＳ１だけをアクティベーションすることができ、または、ＳＰＳ２，３だけをアクティベーションすることができる。
【０１５７】
基地局２０は、ＳＰＳ１〜ＳＰＳ３をリリースする場合も上記と同様に、ＤＣＩフォーマット０のＣＩＦを用いて、リリースしたいＳＰＳ１〜ＳＰＳ３を指定することができる。
【０１５８】
図２４は、基地局のＤＬのＳＰＳ動作を示したフローチャートである。
［ステップＳ４１］ステップＳ４１は、図１６のステップＳ１と同様であり、その説明を省略する。
【０１５９】
［ステップＳ４２］ＳＰＳ通信制御部６６ｂは、通信を開始するＳＰＳをアクティベーションする。ＳＰＳ通信制御部６６ｂは、ＰＤＣＣＨのＣＩＦで、アクティベーションするＳＰＳを指定する。例えば、ＳＰＳ通信制御部６６ｂは、ＣＩＦの３ビットのビットマップで、アクティベーションするＳＰＳを指定する。
【０１６０】
送受信部６１は、ＳＰＳ通信制御部６６ｂの生成したアクティベーションコマンドのＰＤＣＣＨを無線端末１０に送信する。なお、送受信部６１は、アクティベーションコマンドのＰＤＣＣＨを送信するとき、ＳＰＳの第１周期目のデータをＰＤＳＣＨで無線端末１０に送信する。
【０１６１】
［ステップＳ４３〜Ｓ４５］ステップＳ４３〜Ｓ４５は、図１６のステップＳ３〜Ｓ５と同様であり、その説明を省略する。
［ステップＳ４６］ＳＰＳ通信制御部６６ｂは、ＰＤＣＣＨのＣＩＦで通信をリリースするＳＰＳを指定する。例えば、ＳＰＳ通信制御部６６ｂは、ＣＩＦのビットマップで、リリースするＳＰＳを指定する。送受信部６１は、ＳＰＳ通信制御部６６ｂの生成したリリースコマンドを無線端末１０に送信する。
【０１６２】
図２５は、無線端末のＤＬのＳＰＳ動作を示したフローチャートである。
［ステップＳ５１］ステップＳ５１は、図１７のステップＳ１１と同様であり、その説明を省略する。
【０１６３】
［ステップＳ５２］ＳＰＳ通信制御部５５ｂは、送受信部５１を介して、基地局２０からアクティベーションコマンドを受信する。ＳＰＳ通信制御部５５ｂは、受信したアクティベーションコマンドに基づいて、ＳＰＳの通信を個別にアクティベーションする。例えば、ＳＰＳ通信制御部５５ｂは、ＣＩＦの３ビットのビットマップで、アクティベーションするＳＰＳを判断する。
【０１６４】
なお、送受信部５１は、アクティベーションコマンドのＰＤＣＣＨを受信したとき、ＳＰＳの第１周期目のデータをＰＤＳＣＨで受信する。
［ステップＳ５３〜Ｓ５５］ステップＳ５３〜Ｓ５５は、図１７のステップＳ１３〜Ｓ１５と同様であり、その説明を省略する。
【０１６５】
［ステップＳ５６］ＳＰＳ通信制御部５５ｂは、リリースコマンドで指定されたＳＰＳの通信をリリースする。リリースするＳＰＳは、ＣＩＦの３ビットのビットマップで示されている。
【０１６６】
なお、上記では、ＤＬについて説明したが、ＵＬも同様である。例えば、第２の実施の形態で説明したＵＬと同様である。ただし、ＳＰＳは、ＣＩＦによって識別されるところが異なる。
【０１６７】
このように、ＳＰＳ通信制御部５５ｂ，６６ｂは、ＣＩＦのビットマップにより、ＳＰＳを識別することによっても、シグナリングオーバヘッドを低減した複数のＳＰＳの制御を行うことができる。
【０１６８】
［第５の実施の形態］
次に、第５の実施の形態を、図面を参照して詳細に説明する。第４の実施の形態では、ＣＩＦのビットマップでＳＰＳを識別するようにした。第５の実施の形態では、ＣＩＦのビット値でＳＰＳを識別するようにする。なお、第５の実施の形態に係る無線通信システムは、図２と同様である。また、ＰＤＣＣＨのＤＣＩフォーマットは、図２２、図２３と同様である。ただし、第５の実施の形態では、ＳＰＳをＣＩＦのビット値で識別する。また、無線端末および基地局のハードウェア構成例は、図１２、図１３と同様である。また、無線端末および基地局のブロックは、図１４、図１５と同様である。ただし、ＳＰＳ通信制御部５５ｂ，６６ｂのＳＰＳの識別の仕方が異なる。ＳＰＳ通信制御部５５ｂ，６６ｂは、ＣＩＦのビット値でＳＰＳを識別する。
【０１６９】
例えば、ＣＩＦは、図２２、図２３と同様に、３ビットのビット幅を有する。ＳＰＳ通信制御部５５ｂ，６６ｂは、ＳＰＳを指定する場合、ＣＩＦの３ビット値で指定する。
例えば、ＣＩＦは、３ビット幅を有しているので、８個のＳＰＳを識別できる。例えば、ＣＩＦの‘０００’をＳＰＳ１、‘００１’をＳＰＳ２、…、‘１１１’をＳＰＳ８と識別できる。
【０１７０】
例えば、基地局２０のＳＰＳ通信制御部６６ｂは、ＤＬにおいてＳＰＳ６をアクティベーションする場合、ＤＣＩフォーマット１／１ＡまたはＤＣＩフォーマット２／２Ａ／２Ｂ／２ＣのＰＤＣＣＨのＣＩＦに‘１０１’をセットする。無線端末１０のＳＰＳ通信制御部５５ｂは、受信したＤＣＩフォーマット１／１ＡまたはＤＣＩフォーマット２／２Ａ／２Ｂ／２ＣのＰＤＣＣＨのＣＩＦが‘１０１’であることによって、ＳＰＳ６をアクティベーションする。
【０１７１】
ＳＰＳ通信制御部５５ｂ，６６ｂは、ＤＬのＳＰＳをリリースする場合も同様にして、ＣＩＦのビット値でＳＰＳを識別する。また、ＳＰＳ通信制御部５５ｂ，６６ｂは、ＵＬのアクティベーションおよびリリースについても同様にして、ＣＩＦのビット値でＳＰＳを識別する。
【０１７２】
なお、ＣＩＦのビットマップでＳＰＳを識別する場合、ＳＰＳ通信制御部５５ｂ，６６ｂは、１つのＰＤＣＣＨで複数のＳＰＳをアクティベーションまたはリリースすることができる。例えば、ＳＰＳ通信制御部５５ｂ，６６ｂは、ＰＤＣＣＨのＣＩＦに‘０１１’をセットすれば、ＳＰＳ１，２をアクティベーションまたはリリースすることができる。
【０１７３】
一方、ＣＩＦのビット値でＳＰＳを識別する場合、ＳＰＳ通信制御部５５ｂ，６６ｂは、アクティベーションまたはリリースするＳＰＳごとにＰＤＣＣＨを送受信する。例えば、ＳＰＳ通信制御部５５ｂ，６６ｂは、ＳＰＳ１，２をアクティベーションまたはリリースするとする。この場合、例えば、ＳＰＳ通信制御部５５ｂ，６６ｂは、ＰＤＣＣＨのＣＩＦに‘０００’をセットし、ＰＤＣＣＨを送受信する。次いで、ＳＰＳ通信制御部５５ｂ，６６ｂは、ＰＤＣＣＨのＣＩＦに‘００１’をセットし、ＰＤＣＣＨを送受信する。これにより、ＳＰＳ１，２をアクティベーションまたはリリースすることができる。
【０１７４】
図２６は、第５の実施の形態に係る基地局のＤＬのＳＰＳ動作を示したフローチャートである。
［ステップＳ６１］ステップＳ６１は、図１８のステップＳ２１と同様であり、その説明を省略する。
【０１７５】
［ステップＳ６２］ＳＰＳ通信制御部６６ｂは、通信を開始するＳＰＳをアクティベーションする。ＳＰＳ通信制御部６６ｂは、ＰＤＣＣＨのＣＩＦで、アクティベーションするＳＰＳを指定する。例えば、ＳＰＳ通信制御部６６ｂは、ＣＩＦの３ビットのビット値で、アクティベーションするＳＰＳを指定する。
【０１７６】
送受信部６１は、ＳＰＳ通信制御部６６ｂの生成したアクティベーションコマンドのＰＤＣＣＨを無線端末１０に送信する。なお、送受信部６１は、アクティベーションコマンドのＰＤＣＣＨを送信するとき、ＳＰＳの第１周期目のデータをＰＤＳＣＨで無線端末１０に送信する。
【０１７７】
［ステップＳ６３〜Ｓ６５］ステップＳ６３〜Ｓ６５は、図１８のステップＳ２３〜Ｓ２５と同様であり、その説明を省略する。
［ステップＳ６６］ＳＰＳ通信制御部６６ｂは、ＰＤＣＣＨのＣＩＦで通信をリリースするＳＰＳを指定する。例えば、ＳＰＳ通信制御部６６ｂは、ＣＩＦの３ビットのビット値で、リリースするＳＰＳを指定する。送受信部６１は、ＳＰＳ通信制御部６６ｂの生成したリリースコマンドを無線端末１０に送信する。
【０１７８】
図２７は、第５の実施の形態に係る無線端末のＤＬのＳＰＳ動作を示したフローチャートである。
［ステップＳ７１］ステップＳ７１は、図１９のステップＳ３１と同様であり、その説明を省略する。
【０１７９】
［ステップＳ７２］ＳＰＳ通信制御部５５ｂは、送受信部５１を介して、基地局２０からアクティベーションコマンドを受信する。ＳＰＳ通信制御部５５ｂは、受信したアクティベーションコマンドに基づいて、ＳＰＳの通信を個別にアクティベーションする。例えば、ＳＰＳ通信制御部５５ｂは、ＣＩＦの３ビットのビット値で、アクティベーションするＳＰＳを判断する。
【０１８０】
なお、送受信部５１は、アクティベーションコマンドのＰＤＣＣＨを受信したとき、ＳＰＳの第１周期目のデータをＰＤＳＣＨで受信する。
［ステップＳ７３〜Ｓ７５］ステップＳ７３〜Ｓ７５は、図１９のステップＳ３３〜Ｓ３５と同様であり、その説明を省略する。
【０１８１】
［ステップＳ７６］ＳＰＳ通信制御部５５ｂは、リリースコマンドで指定されたＳＰＳの通信をリリースする。リリースするＳＰＳは、ＳＰＳインデックスの３ビットのビット値で示されている。
【０１８２】
なお、上記では、ＤＬについて説明したが、ＵＬも同様である。例えば、第３の実施の形態で説明したＵＬと同様である。ただし、ＳＰＳは、ＣＩＦによって識別されるところが異なる。
【０１８３】
このように、ＳＰＳ通信制御部５５ｂ，６６ｂは、ＣＩＦのビット値により、ＳＰＳを識別することによっても、シグナリングオーバヘッドを低減した複数のＳＰＳの制御を行うことができる。
【０１８４】
［第６の実施の形態］
次に、第６の実施の形態を、図面を参照して詳細に説明する。第６の実施の形態では、ＳＰＳ−ＣＲＮＴＩを用いて、ＳＰＳを識別する。
【０１８５】
基地局は、通常１つの無線端末に対し、１つのＳＰＳ−ＣＲＮＴＩを割り当てる。第６の実施の形態では、基地局は、ＳＰＳを行う数分、１つの無線端末に対し割り当てる。すなわち、第６の実施の形態では、ＳＰＳ−ＣＲＮＴＩとＳＰＳとを対応させ、アクティベーションおよびリリースするＳＰＳを識別するようにする。
【０１８６】
なお、第６の実施の形態に係る無線通信システムは、図２と同様である。また、ＰＤＣＣＨのＤＣＩフォーマットは、図７、図８と同様である。すなわち、第６の実施の形態では、ＤＣＩフォーマットを変更しないで、ＳＰＳを識別する。また、無線端末および基地局のハードウェア構成例は、図１２、図１３と同様である。また、無線端末および基地局のブロックは、図１４、図１５と同様である。ただし、ＳＰＳ通信制御部５５ｂ，６６ｂのＳＰＳの識別の仕方が異なる。ＳＰＳ通信制御部５５ｂ，６６ｂは、ＳＰＳ−ＣＲＮＴＩによって、ＳＰＳを識別する。
【０１８７】
基地局２０のＳＰＳ通信制御部６６ｂは、通信を行うＳＰＳごとにＳＰＳ−ＣＲＮＴＩを生成する。例えば、基地局２０は、無線端末１０に対し、画像データをＳＰＳ１で送信し、音声データをＳＰＳ２で送信するとする。この場合、ＳＰＳ通信制御部６６ｂは、ＳＰＳ１，２のそれぞれに対応したユニークなＳＰＳ−ＣＲＮＴＩを生成する。すなわち、ＳＰＳ通信制御部６６ｂは、ＳＰＳ１，２を識別するためのＳＰＳ−ＣＲＮＴＩを生成する。なお、ＳＰＳ通信制御部６６ｂは、複数の無線端末に対してもユニークなＳＰＳ−ＣＲＮＴＩを生成する。
【０１８８】
ＳＰＳ周期制御部６６ａは、ＳＰＳ１，２の通信周期をそれぞれ設定する。
ＳＰＳ通信制御部６６ｂは、ＲＲＣコネクションの際、送受信部６１を介して、ＳＰＳ１，２に対応するＳＰＳ−ＣＲＮＴＩと、ＳＰＳ周期制御部６６ａの設定したＳＰＳ１，２の通信周期とを無線端末１０に送信する。
【０１８９】
無線端末１０のＳＰＳ通信制御部５５ｂは、送受信部５１を介して、ＳＰＳ１，２のＳＰＳ−ＣＲＮＴＩと通信周期とを受信する。ＳＰＳ通信制御部５５ｂは、受信したＳＰＳ１，２のＳＰＳ−ＣＲＮＴＩと通信周期とをメモリなどの記憶装置に記憶する。
【０１９０】
基地局２０のＳＰＳ通信制御部６６ｂは、ＳＰＳ１，２の通信を開始するときに、アクティベーションコマンド（フィールドが、図７に示すアクティベーションの値に設定されているＰＤＣＣＨ）のＰＤＣＣＨのＣＲＣを、ＳＰＳ１，２のＳＰＳ−ＣＲＮＴＩでマスクする。例えば、ＳＰＳ通信制御部６６ｂは、ＳＰＳ１の通信を開始するとき、アクティベーションコマンドのＰＤＣＣＨのＣＲＣを、ＳＰＳ１のＳＰＳ−ＣＲＮＴＩでマスクする。
【０１９１】
送受信部６１は、ＳＰＳ通信制御部６６ｂの生成したアクティベーションコマンドのＰＤＣＣＨを無線端末１０に送信する。
無線端末１０のＳＰＳ通信制御部５５ｂは、受信したＰＤＣＣＨのＣＲＣを、記憶装置に記憶しているＳＰＳ−ＣＲＮＴＩで解く。ＳＰＳ通信制御部５５ｂは、ＰＤＣＣＨのＣＲＣを解くことができ、そのＣＲＣを解いたＰＤＣＣＨがアクティベーションコマンドである場合（ＰＤＣＣＨのフィールドが、図７に示すアクティベーションの値に設定されている場合）、ＣＲＣを解くことができたＳＰＳ−ＣＲＮＴＩに対応するＳＰＳ１，２の通信をアクティベーションする。
【０１９２】
例えば、ＳＰＳ通信制御部５５ｂは、ＳＰＳ１のＳＰＳ−ＣＲＮＴＩでＣＲＣを解くことができたとする。そして、ＳＰＳ通信制御部５５ｂは、ＣＲＣを解いたＰＤＣＣＨがアクティベーションコマンドである場合、ＳＰＳ１をアクティベーションする。
【０１９３】
基地局２０のＳＰＳ通信制御部６６ｂは、ＳＰＳ１，２をリリースする場合、リリースしたいＳＰＳ１，２に対応するＳＰＳ−ＣＲＮＴＩで、リリースコマンドのＰＤＣＣＨのＣＲＣをマスクし、無線端末１０に送信する。
【０１９４】
無線端末１０のＳＰＳ通信制御部５５ｂは、受信したＰＤＣＣＨのＣＲＣを、記憶装置に記憶しているＳＰＳ−ＣＲＮＴＩで解く。ＳＰＳ通信制御部５５ｂは、ＰＤＣＣＨのＣＲＣを解くことができ、そのＣＲＣを解いたＰＤＣＣＨがリリースコマンドである場合、ＣＲＣを解くことができたＳＰＳ−ＣＲＮＴＩに対応するＳＰＳ１，２の通信をリリースする。
【０１９５】
例えば、ＳＰＳ通信制御部５５ｂは、ＳＰＳ１のＳＰＳ−ＣＲＮＴＩでＣＲＣを解くことができたとする。そして、ＳＰＳ通信制御部５５ｂは、ＣＲＣを解いたＰＤＣＣＨがリリースコマンドである場合、ＳＰＳ１をリリースする。
【０１９６】
ＵＬにおけるアクティベーションおよびリリースも上記と同様である。ＳＰＳ通信制御部６６ｂは、ＵＬのＳＰＳに対応したユニークなＳＰＳ−ＣＲＮＴＩを生成し、無線端末１０に送信する。無線端末１０のＳＰＳ通信制御部６６ｂは、基地局２０から受信したＳＰＳ−ＣＲＮＴＩでＰＤＣＣＨのＣＲＣを解くことができ、そのＣＲＣを解いたＰＤＣＣＨがアクティベーションコマンドまたはリリースコマンドである場合、ＣＲＣを解くことができたＳＰＳ−ＣＲＮＴＩに対応するＳＰＳの通信をアクティベーションまたはリリースする。
【０１９７】
図２８は、第６の実施の形態に係る基地局のＤＬのＳＰＳ動作を示したフローチャートである。
［ステップＳ８１］基地局２０のＳＰＳ周期制御部６６ａは、複数のＳＰＳの通信周期を個別に設定する。ＳＰＳ通信制御部６６ｂは、複数のＳＰＳに対応する、ユニークなＳＰＳ−ＣＲＮＴＩを生成し、割り当てる。
【０１９８】
例えば、ＳＰＳ周期制御部６６ａは、ビデオ通信を行う場合、画像データを送信するＳＰＳ１の通信周期と、音声データを送信するＳＰＳ２の通信周期とを設定する。ＳＰＳ通信制御部６６ｂは、画像データを送信するＳＰＳ１と、音声データを送信するＳＰＳ２とに対し、ユニークなＳＰＳ−ＣＲＮＴＩを生成し、割り当てる。
【０１９９】
ＳＰＳ通信制御部６６ｂは、ＲＲＣコネクションの際、送受信部６１を介して、ＳＰＳ１，２に対応するＳＰＳ−ＣＲＮＴＩと、ＳＰＳ周期制御部６６ａの設定したＳＰＳ１，２の通信周期とを無線端末１０に送信する。
【０２００】
［ステップＳ８２］ＳＰＳ通信制御部６６ｂは、通信を開始するＳＰＳをアクティベーションする。ＳＰＳ通信制御部６６ｂは、通信を開始するＳＰＳ１，２のＳＰＳ−ＣＲＮＴＩで、アクティベーションコマンドのＰＤＣＣＨのＣＲＣをマスクして、アクティベーションするＳＰＳ１，２を指定する。例えば、ＳＰＳ通信制御部６６ｂは、ＳＰＳ１の通信を開始する場合、ＳＰＳ１に割り当てたＳＰＳ−ＣＲＮＴＩで、アクティベーションコマンドのＰＤＣＣＨのＣＲＣをマスクする。
【０２０１】
送受信部６１は、ＳＰＳ通信制御部６６ｂの生成したアクティベーションコマンドのＰＤＣＣＨを無線端末１０に送信する。なお、送受信部６１は、アクティベーションコマンドのＰＤＣＣＨを送信するとき、ＳＰＳの第１周期目のデータをＰＤＳＣＨで無線端末１０に送信する。
【０２０２】
［ステップＳ８３］ＳＰＳ送信管理部６５ａは、ＳＰＳ周期制御部６６ａの設定した通信周期に基づいて、アクティベーションされたＳＰＳの送信データの送信タイミングを判断する。ＳＰＳ送信管理部６５ａは、アクティベーションされたＳＰＳの送信データの送信タイミングであると判断した場合、ステップＳ８４へ進む。ＳＰＳ送信管理部６５ａは、アクティベーションされたＳＰＳの送信データの送信タイミングでないと判断した場合、ステップＳ８３の判断処理を繰り返す。
【０２０３】
［ステップＳ８４］送受信部６１は、ＳＰＳで送信するデータを無線端末１０に送信する。
［ステップＳ８５］ＳＰＳ通信制御部６６ｂは、ＳＰＳの通信をリリースするか否か判断する。例えば、ＳＰＳ通信制御部６６ｂは、無線回線の状態に基づいて、リリースするＳＰＳを判断する。例えば、ＳＰＳ通信制御部６６ｂは、無線回線の状態がある閾値より低くなると、画像データを間引くために、画像データの通信を行っているＳＰＳのリリースを判断する。ＳＰＳ通信制御部６６ｂは、ＳＰＳの通信をリリースすると判断した場合、ステップＳ８６へ進む。ＳＰＳ通信制御部６６ｂは、ＳＰＳの通信をリリースしないと判断した場合、ステップＳ８３へ進む。
【０２０４】
［ステップＳ８６］ＳＰＳ通信制御部６６ｂは、ＳＰＳ１，２をリリースする場合、リリースしたいＳＰＳ１，２に対応するＳＰＳ−ＣＲＮＴＩで、リリースコマンドのＰＤＣＣＨのＣＲＣをマスクし、無線端末１０に送信する。送受信部６１は、ＳＰＳ通信制御部６６ｂの生成したリリースコマンドを無線端末１０に送信する。
【０２０５】
図２９は、第６の実施の形態に係る無線端末のＤＬのＳＰＳ動作を示したフローチャートである。
［ステップＳ９１］無線端末１０のＳＰＳ通信制御部５５ｂは、ＲＲＣコネクションの際、送受信部５１を介して、基地局２０からＳＰＳの通信周期と、ＳＰＳ−ＣＲＮＴＩを受信する。ＳＰＳ周期制御部５５ａは、ＳＰＳの通信周期に、送受信部５１の受信した通信周期を設定する。例えば、ＳＰＳ周期制御部５５ａは、複数のＳＰＳの通信周期を管理するメモリに、受信した通信周期を格納する。また、ＳＰＳ通信制御部５５ｂは、受信したＳＰＳ−ＣＲＮＴＩを、ＳＰＳと対応づけて記憶装置に記憶する。
【０２０６】
［ステップＳ９２］ＳＰＳ通信制御部５５ｂは、受信したＰＤＣＣＨのＣＲＣを、記憶装置に記憶しているＳＰＳ−ＣＲＮＴＩで解く。ＳＰＳ通信制御部５５ｂは、ＰＤＣＣＨのＣＲＣを解くことができ、そのＣＲＣを解いたＰＤＣＣＨがアクティベーションコマンドである場合、ＣＲＣを解くことができたＳＰＳ−ＣＲＮＴＩに対応するＳＰＳ１，２の通信をアクティベーションする。
【０２０７】
送受信部５１は、アクティベーションコマンドのＰＤＣＣＨを受信したとき、ＳＰＳの第１周期目のデータをＰＤＳＣＨで受信する。
［ステップＳ９３］ＳＰＳ送信管理部５４ａは、ＳＰＳ周期制御部５５ａの設定した通信周期に基づいて、アクティベーションされたＳＰＳの受信データの受信タイミングを判断する。ＳＰＳ送信管理部５４ａは、アクティベーションされたＳＰＳの受信データの受信タイミングであると判断した場合、ステップＳ９４へ進む。ＳＰＳ送信管理部５４ａは、アクティベーションされたＳＰＳの受信データの受信タイミングでないと判断した場合、ステップＳ９３の判断処理を繰り返す。
【０２０８】
［ステップＳ９４］送受信部５１は、基地局２０から送信されるＳＰＳのデータを受信する。
［ステップＳ９５］ＳＰＳ通信制御部５５ｂは、送受信部５１を介して、リリースコマンドが受信されたか否か判断する。例えば、ＳＰＳ通信制御部５５ｂは、受信したＰＤＣＣＨのＣＲＣを、記憶装置に記憶しているＳＰＳ−ＣＲＮＴＩで解く。ＳＰＳ通信制御部５５ｂは、ＰＤＣＣＨのＣＲＣを解くことができ、そのＣＲＣを解いたＰＤＣＣＨがリリースコマンドであるか否かによって、リリースコマンドの受信を判断する。ＳＰＳ通信制御部５５ｂは、リリースコマンドの受信を判断した場合、ステップＳ９６へ進む。ＳＰＳ通信制御部５５ｂは、リリースコマンドの受信を判断しない場合、ステップＳ９３へ進む。
【０２０９】
［ステップＳ９６］ＳＰＳ通信制御部５５ｂは、リリースコマンドをデコードできたＳＰＳ−ＣＲＮＴＩに対応するＳＰＳの通信をリリースする。
このように、ＳＰＳ通信制御部５５ｂ，６６ｂは、ＳＰＳに対応したＳＰＳ−ＣＲＮＴＩを生成し、ＳＰＳを識別することによっても、シグナリングオーバヘッドを低減した複数のＳＰＳの制御を行うことができる。
【０２１０】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０２１１】
１  無線端末
１ａ，２ａ  通信部
１ｂ，２ｂ  通信制御部
２  基地局
【図１】
2013038525.tif 000003
【図２】
2013038525.tif 000004
【図３】
2013038525.tif 000005
【図４】
2013038525.tif 000006
【図５】
2013038525.tif 000007
【図６】
2013038525.tif 000008
【図７】
2013038525.tif 000009
【図８】
2013038525.tif 000010
【図９】
2013038525.tif 000011
【図１０】
2013038525.tif 000012
【図１１】
2013038525.tif 000013
【図１２】
2013038525.tif 000014
【図１３】
2013038525.tif 000015
【図１４】
2013038525.tif 000016
【図１５】
2013038525.tif 000017
【図１６】
2013038525.tif 000018
【図１７】
2013038525.tif 000019
【図１８】
2013038525.tif 000020
【図１９】
2013038525.tif 000021
【図２０】
2013038525.tif 000022
【図２１】
2013038525.tif 000023
【図２２】
2013038525.tif 000024
【図２３】
2013038525.tif 000025
【図２４】
2013038525.tif 000026
【図２５】
2013038525.tif 000027
【図２６】
2013038525.tif 000028
【図２７】
2013038525.tif 000029
【図２８】
2013038525.tif 000030
【図２９】
2013038525.tif 000031
【手続補正書】
【提出日】平成26年2月10日(2014.2.10)
【手続補正１】
【補正対象書類名】明細書
【補正対象項目名】００３１
【補正方法】変更
【補正の内容】
【００３１】
ＳＰＳの通信を停止または終了するには、矢印Ａ１３に示すように、ｅＮＢがＵＥに対し、Ｌ１のＰＤＣＣＨでリリースコマンドを通知する。または、ＵＥは、implicit Release Afterというパラメータで指定された回数、空送信する。これにより、ＳＰＳの通信は解放される。
【手続補正２】
【補正対象書類名】明細書
【補正対象項目名】００４８
【補正方法】変更
【補正の内容】
【００４８】
例えば、ｅＮＢは、ＵＬのＳＰＳのアクティベーションを行うとする。この場合、ｅＮＢは、ＤＣＩフォーマット０のＰＤＣＣＨで、ＳＰＳのアクティベーションを行う。このとき、ｅＮＢは、ＰＤＣＣＨの各フィールドを、図８の左側のＤＣＩフォーマット０の欄に示すように設定する。例えば、ｅＮＢは、ＮＤＩを‘０’にセットする。また、ｅＮＢは、TPC(Transmission Power Control) command for scheduled PUSCH(Physical Uplink Shared Channel)を‘００’にセットする。また、ｅＮＢは、Cyclic shift DM(DeModulation) RS(Reference Signal)を‘０００’にセットする。また、ｅＮＢは、Modulation and coding scheme and redundancy versionのＭＳＢ‘０’にセットし、下位４ビットで、ＵＬのＳＰＳの変調方式および符号化率を設定する。また、ｅＮＢは、Resource block assignment and hopping resource allocationに、ＵＬのＳＰＳで使用するＲＢをセットする。
【手続補正３】
【補正対象書類名】明細書
【補正対象項目名】００５３
【補正方法】変更
【補正の内容】
【００５３】
基地局２０は、ＳＰＳ１，２の２つで通信を行うには、まず、矢印Ａ２１，Ａ２２に示すように、Ｌ３のＲＲＣコネクションの際にＳＰＳ１，２の通信周期を無線端末１０に通知する。基地局２０は、ＳＰＳ１，２に対し、異なる通信周期を通知することができるが、図９では、同じ通信周期を通知している。
【手続補正４】
【補正対象書類名】明細書
【補正対象項目名】００６０
【補正方法】変更
【補正の内容】
【００６０】
基地局２０は、ＳＰＳ１，２の２つで通信を行うには、まず、Ｌ３のＲＲＣコネクションの際にＳＰＳ１，２の通信周期を無線端末１０に通知する。基地局２０は、ＳＰＳ１，２に対し、異なる通信周期を通知することができる。
【手続補正５】
【補正対象書類名】明細書
【補正対象項目名】００９０
【補正方法】変更
【補正の内容】
【００９０】
データプレーン部６５は、物理レイヤ、ＭＡＣレイヤ、ＲＬＣレイヤ、およびＰＤＣＰレイヤの各種制御を行う。ＳＰＳ送信管理部６５ａは、複数のＳＰＳのデータ送信タイミングを管理する。ＨＡＲＱ管理部６５ｂは、データのＨＡＲＱ管理を行う。
【手続補正６】
【補正対象書類名】明細書
【補正対象項目名】０１０７
【補正方法】変更
【補正の内容】
【０１０７】
ＳＰＳ送信管理部５４ａは、ＳＰＳ周期制御部５５ａの設定した通信周期に基づいて、アクティベーションされたＳＰＳのデータを基地局２０へ送信する。
基地局２０の送受信部６１は、無線端末１０から送信されたＳＰＳのデータを受信する。
【手続補正７】
【補正対象書類名】明細書
【補正対象項目名】０１３３
【補正方法】変更
【補正の内容】
【０１３３】
ＳＰＳ送信管理部５４ａは、ＳＰＳ周期制御部５５ａの設定した通信周期に基づいて、アクティベーションされたＳＰＳのデータを基地局２０へ送信する。
基地局２０の送受信部６１は、無線端末１０から送信されたＳＰＳのデータを受信する。
【手続補正８】
【補正対象書類名】明細書
【補正対象項目名】０１４８
【補正方法】変更
【補正の内容】
【０１４８】
この場合、基地局２０は、ＤＣＩフォーマット１／１ＡのＰＤＣＣＨでアクティベーションコマンドを無線端末１０に通知する。基地局２０は、ＤＣＩフォーマット１／１ＡのＰＤＣＣＨのフィールドを、図２２のＤＣＩフォーマット１／１Ａの欄に示すように設定して、アクティベーションコマンドを無線端末１０に通知する。
【手続補正９】
【補正対象書類名】明細書
【補正対象項目名】０１５４
【補正方法】変更
【補正の内容】
【０１５４】
例えば、基地局２０は、ＲＲＣコネクションの際に、３つのＳＰＳ１〜ＳＰＳ３のそれぞれの通信周期を無線端末１０に通知したとする。
この場合、基地局２０は、ＭＩＭＯ通信の適用に関係なく、ＤＣＩフォーマット０のＰＤＣＣＨでアクティベーションコマンドを無線端末１０に通知する。基地局２０は、ＤＣＩフォーマット０のＰＤＣＣＨのフィールドを、図２３の左側のＤＣＩフォーマット０の欄に示すように設定して、アクティベーションコマンドを無線端末１０に通知する。
【手続補正１０】
【補正対象書類名】明細書
【補正対象項目名】０１８１
【補正方法】変更
【補正の内容】
【０１８１】
［ステップＳ７６］ＳＰＳ通信制御部５５ｂは、リリースコマンドで指定されたＳＰＳの通信をリリースする。リリースするＳＰＳは、ＣＩＦの３ビットのビット値で示されている。
【手続補正１１】
【補正対象書類名】明細書
【補正対象項目名】０１９６
【補正方法】変更
【補正の内容】
【０１９６】
ＵＬにおけるアクティベーションおよびリリースも上記と同様である。ＳＰＳ通信制御部６６ｂは、ＵＬのＳＰＳに対応したユニークなＳＰＳ−ＣＲＮＴＩを生成し、無線端末１０に送信する。無線端末１０のＳＰＳ通信制御部５５ｂは、基地局２０から受信したＳＰＳ−ＣＲＮＴＩでＰＤＣＣＨのＣＲＣを解くことができ、そのＣＲＣを解いたＰＤＣＣＨがアクティベーションコマンドまたはリリースコマンドである場合、ＣＲＣを解くことができたＳＰＳ−ＣＲＮＴＩに対応するＳＰＳの通信をアクティベーションまたはリリースする。
【手続補正１２】
【補正対象書類名】明細書
【補正対象項目名】０２０９
【補正方法】変更
【補正の内容】
【０２０９】
［ステップＳ９６］ＳＰＳ通信制御部５５ｂは、ＣＲＣを解くことができたＳＰＳ−ＣＲＮＴＩに対応するＳＰＳの通信をリリースする。
このように、ＳＰＳ通信制御部５５ｂ，６６ｂは、ＳＰＳに対応したＳＰＳ−ＣＲＮＴＩを生成し、ＳＰＳを識別することによっても、シグナリングオーバヘッドを低減した複数のＳＰＳの制御を行うことができる。
【手続補正１３】
【補正対象書類名】特許請求の範囲
【補正対象項目名】全文
【補正方法】変更
【補正の内容】
【特許請求の範囲】
【請求項１】
基地局と無線通信を行う無線端末において、
前記基地局と複数の周期的通信を行う通信部と、
前記基地局から送信される制御チャネルに前記複数の周期的通信を識別するための識別情報が含まれ、前記識別情報によって前記複数の周期的通信のそれぞれの活性化および解放の少なくともいずれかを制御する通信制御部と、
を有することを特徴とする無線端末。
【請求項２】
前記通信制御部は、前記識別情報、前記制御チャネルのフォーマット、および前記制御チャネルのフィールドの値によって、前記複数の周期的通信のそれぞれの活性化および解放を制御することを特徴とする請求項１記載の無線端末。
【請求項３】
前記複数の周期的通信の複数の周期を設定する周期制御部をさらに有することを特徴とする請求項１または２に記載の無線端末。
【請求項４】
前記複数の周期的通信の複数の周期は、ＲＲＣコネクションの際、前記基地局から通知されることを特徴とする請求項３記載の無線端末。
【請求項５】
前記複数の周期的通信のそれぞれは、セミパーシステントスケジューリングであることを特徴とする請求項１乃至４のいずれかに記載の無線端末。
【請求項６】
前記複数の周期的通信は、ビットマップによって識別され、
前記通信制御部は、前記ビットマップのビットに基づいて、前記複数の周期的通信のそれぞれの活性化および解放の少なくともいずれかを制御することを特徴とする請求項１乃至５のいずれかに記載の無線端末。
【請求項７】
前記複数の周期的通信は、ビット値によって識別され、
前記通信制御部は、前記ビット値に基づいて、前記複数の周期的通信のそれぞれの活性化および解放の少なくともいずれかを制御することを特徴とする請求項１乃至５のいずれかに記載の無線端末。
【請求項８】
基地局と無線通信を行う無線端末において、
前記基地局と複数の周期的通信を行う通信部と、
制御チャネルの誤り検出のための符号領域をマスクする、前記複数の周期的通信に対応した識別子を前記基地局から受信する受信部と、
前記基地局から受信した前記識別子と前記制御チャネルとに基づいて前記複数の周期的通信のそれぞれの活性化および解放の少なくともいずれかを制御する通信制御部と、
を有することを特徴とする無線端末。
【請求項９】
無線端末と無線通信を行う基地局において、
前記無線端末と複数の周期的通信を行う通信部と、
前記無線端末が前記複数の周期的通信のそれぞれの活性化および解放の少なくともいずれかを制御できるように、前記複数の周期的通信を識別するための識別情報を制御チャネルに含める通信制御部と、
を有することを特徴とする基地局。
【請求項１０】
無線端末と無線通信を行う基地局において、
前記無線端末と複数の周期的通信を行う通信部と、
前記無線端末が前記複数の周期的通信のそれぞれの活性化および解放の少なくともいずれかを制御できるように、制御チャネルの誤り検出のための符号領域をマスクする、前記複数の周期的通信に対応した識別子を生成する生成部と、
前記識別子を前記無線端末に送信する送信部と、
を有することを特徴とする基地局。
【手続補正１４】
【補正対象書類名】図面
【補正対象項目名】図４
【補正方法】変更
【補正の内容】
【図４】
2013038525.tif 000032
【手続補正１５】
【補正対象書類名】図面
【補正対象項目名】図９
【補正方法】変更
【補正の内容】
【図９】
2013038525.tif 000033
【国際調査報告】
2013038525.tif 000034
2013038525.tif 000035